(57)【要約】  光の安定性をより確保することができる光源駆動装置及びヘッドアップディスプレイ装置を提供する。  光源駆動装置（５）は、緑色光（Ｇ）を発する光源（１１ｇ）と、赤色光（Ｒ）を発する光源（１１ｒ）と、を駆動させる。光源駆動装置（５）は、バッテリ（７００）からの電源電圧に基づき光源（１１ｇ）に印加する電圧（Ｖｇ）を調整する第１電圧調整部（３１０）と、電圧（Ｖｇ）を電力源として、光源（１１ｒ）に印加する電圧（Ｖｒ）を生成する第２電圧調整部（３２０）と、電圧可変調光処理を行う第１の制御部（１００）と、を備える。電圧可変調光処理は、緑色光（Ｇ）及び赤色光（Ｒ）の光強度比が所望の光強度比となるように電圧（Ｖｇ）及び電圧（Ｖｒ）を設定し、第１電圧調整部（３１０）及び第２電圧調整部（３２０）を通じて、設定された電圧（Ｖｇ）及び電圧（Ｖｒ）をそれぞれ光源（１１ｇ）及び光源（１１ｒ）に印加する処理である。
2018101121.tif 000002
【特許請求の範囲】
【請求項１】
第１の光を発する第１の光源と、前記第１の光と異なる色の第２の光を発する第２の光源と、を駆動させる光源駆動装置であって、  電源からの電源電圧に基づき前記第１の光源に印加する第１電圧を調整する第１電圧調整部と、  前記電源電圧又は前記第１電圧を電力源として、前記第２の光源に印加する第２電圧を生成する第２電圧調整部と、  前記第１の光及び前記第２の光の光強度比が所望の光強度比となるように前記第１電圧及び前記第２電圧を設定し、前記第１電圧調整部及び前記第２電圧調整部を通じて、設定された前記第１電圧及び前記第２電圧をそれぞれ前記第１の光源及び前記第２の光源に印加する電圧可変調光処理を行う制御部と、を備える、  光源駆動装置。
【請求項２】
前記第１の光源に供給する第１電流を調整する第１電流調整部と、  前記第２の光源に供給する第２電流を調整する第２電流調整部と、を備え、  前記制御部は、  要求輝度が第１閾値未満の場合には、前記電圧可変調光処理において、前記第１の光及び前記第２の光の光強度比が前記所望の光強度比となりつつ前記要求輝度に応じた前記第１電圧及び前記第２電圧を設定し、  前記要求輝度が前記第１閾値以上の場合には、前記第１の光及び前記第２の光の光強度比が前記所望の光強度比となりつつ前記要求輝度に応じた前記第１電流及び前記第２電流を設定し、前記第１電流調整部及び前記第２電流調整部を通じて、設定された前記第１電流及び前記第２電流をそれぞれ前記第１の光源及び前記第２の光源に供給する電流可変調光処理を行う、  請求項１に記載の光源駆動装置。
【請求項３】
前記要求輝度に応じた前記第１の光源に印加する前記第１電圧の値を示す電圧データテーブルが記憶されるメモリと、  前記第１の光の光強度及び前記第２の光の光強度を検出する光強度検出部と、を備え、  前記制御部は、前記電圧可変調光処理においては、前記電圧データテーブルを参照して前記要求輝度に応じた前記第１電圧を設定するとともに、前記光強度検出部の検出結果に基づき前記第１の光及び前記第２の光の光強度比が前記所望の光強度比となるように、当該設定された前記第１電圧を基準として前記第２電圧を設定する、  請求項２に記載の光源駆動装置。
【請求項４】
前記メモリには、前記要求輝度に応じた前記第１の光源に供給する前記第１電流の値を示す電流データテーブルが記憶され、  前記制御部は、前記電流可変調光処理においては、前記電流データテーブルを参照して前記要求輝度に応じた前記第１電流を設定するとともに、前記光強度検出部の検出結果に基づき前記第１の光及び前記第２の光の光強度比が前記所望の光強度比となるように、当該設定された前記第１電流を基準として前記第２電流を設定する、  請求項３に記載の光源駆動装置。
【請求項５】
前記制御部は、  前記電流可変調光処理においては、前記第１電圧調整部を通じて前記第１電圧を一定に保持し、  前記電圧可変調光処理においては、前記要求輝度が低くなるにつれて前記第１電圧調整部を通じて徐々に前記第１電圧を低下させる、  請求項２から４の何れか１項に記載の光源駆動装置。
【請求項６】
前記制御部は、  前記電圧可変調光処理においては、前記第１電流調整部を通じて前記第１電流を一定に保持し、  前記電流可変調光処理においては、前記第１電流調整部を通じて前記要求輝度に応じた前記第１電流を設定する、  請求項２から５の何れか１項に記載の光源駆動装置。
【請求項７】
前記光源駆動装置は、前記第１の光源及び前記第２の光源に加えて、前記第１の光及び前記第２の光と異なる色の第３の光を発する第３の光源を駆動させ、  さらに、前記光源駆動装置は、  前記電源電圧又は前記第１電圧を電力源として、前記第３の光源に印加する第３電圧を生成する第３電圧調整部と、  前記第３の光源に供給する第３電流を調整する第３電流調整部と、を備え、  前記制御部は、  前記電圧可変調光処理においては、前記第１の光、前記第２の光及び前記第３の光の光強度比が所望の光強度比となるように、前記第１電圧、前記第２電圧及び前記第３電圧を設定し、  前記電流可変調光処理においては、前記第１の光、前記第２の光及び前記第３の光の光強度比が前記所望の光強度比となるように、前記第１電流、前記第２電流及び前記第３電流を設定する、  請求項２から６の何れか１項に記載の光源駆動装置。
【請求項８】
前記要求輝度に応じた前記第１の光源に印加する前記第１電圧の値を示す第１電圧データテーブルと、前記要求輝度に応じた前記第２の光源に印加する前記第２電圧の値を示す第２電圧データテーブルとが記憶されるメモリを備え、  前記第１電圧データテーブル及び前記第２電圧データテーブルは、  前記要求輝度が前記第１閾値より小さい値に設定される第２閾値以上であるときそれぞれ同一の値をとり、  前記要求輝度が前記第２閾値未満であるとき前記要求輝度に応じた表示輝度を実現する前記第１電圧及び前記第２電圧となるようにそれぞれ異なる値をとり、  前記制御部は、  前記第１の光及び前記第２の光の光強度比が前記所望の光強度比となるように、前記第１電圧データテーブル及び前記第２電圧データテーブルを参照して前記要求輝度に応じた前記第１電圧及び前記第２電圧を設定する、  請求項２に記載の光源駆動装置。
【請求項９】
前記第１電圧調整部は、前記電源電圧を降圧することで前記第１電圧を生成し、  前記第２電圧調整部は、前記第１電圧調整部を通じて生成された前記第１電圧を受けて前記第２電圧を生成する、  請求項１から８の何れか１項に記載の光源駆動装置。
【請求項１０】
前記第１電圧調整部により調整された前記第１電圧を平滑化する第１平滑用コンデンサと、  前記第２電圧調整部により調整された前記第２電圧を平滑化する第２平滑用コンデンサと、  前記第１平滑用コンデンサからグランドへの第１放電流路を導通するオン状態と前記第１放電流路を遮断するオフ状態との間で切り替わる第１スイッチ部と、  前記第２平滑用コンデンサからグランドへの第２放電流路を導通するオン状態と前記第２放電流路を遮断するオフ状態との間で切り替わる第２スイッチ部と、を備え、  前記制御部は、前記第１電圧及び前記第２電圧をそれぞれ要求輝度に応じた要求電圧に低下させる際、前記第１スイッチ部及び前記第２スイッチ部を前記オフ状態から前記オン状態に切り替える、  請求項１から９の何れか１項に記載の光源駆動装置。
【請求項１１】
前記制御部は、前記第１電圧及び前記第２電圧をそれぞれ前記要求電圧に低下させる際、前記第１電圧及び前記第２電圧が前記要求電圧に到達するタイミングを近づける又は一致させるように、前記第１スイッチ部及び前記第２スイッチ部それぞれを異なるタイミングで前記オフ状態から前記オン状態に切り替える、  請求項１０に記載の光源駆動装置。
【請求項１２】
前記第１放電流路に設けられる第１抵抗と、  前記第２放電流路に設けられる第２抵抗と、を備え、  前記第１抵抗の抵抗値及び前記第２抵抗の抵抗値は、前記第１電圧及び前記第２電圧をそれぞれ前記要求電圧に低下させる際、前記第１電圧及び前記第２電圧が前記要求電圧に到達するタイミングを近づける又は一致させるように、互いに異なる値に設定される、  請求項１０又は１１に記載の光源駆動装置。
【請求項１３】
請求項１から１２の何れか１項に記載の光源駆動装置と、  前記光源駆動装置により駆動された前記各光源からの前記各光を合成する光合成部と、  前記光合成部により合成された合成光に基づきスクリーンに画像を生成する表示素子と、  前記表示素子からの前記画像を表す表示光を投射部材に向けて投射することで虚像を表示させる光学系と、を備える、  ヘッドアップディスプレイ装置。
【発明の詳細な説明】
【技術分野】
【０００１】  本発明は、光源駆動装置及びヘッドアップディスプレイ装置に関する。
【背景技術】
【０００２】  従来から表示装置として、例えば、表示素子であるＤＭＤ（Digital Micro-mirror Device）が設けられた構成が知られている。例えば、特許文献１に記載の表示装置は、ＤＭＤが有する複数のマイクロミラーにて照明光を反射させることで画像光を生成する。この表示装置は光源を駆動する制御部を含む光源駆動装置を備え、この制御部は、それぞれ赤色、緑色及び青色の光を発する３つの光源のうち何れか一つを選択的に発光させ、発光する光源をサブフレーム毎に高速で切り替えることで所望の色の照明光を生成する、いわゆるフィールドシーケンシャル方式により動作する。【０００３】  例えば、この制御部は、光源へ電流を供給する際、サブフレームに占める電流供給期間を示すオンデューティ比を変化させるＰＷＭ（Pulse Width Modulation）制御と、電流値を変化させるＰＡＭ（Pulse Amplitude Modulation）制御と、を同時に実行する。具体的には、制御部は、要求される光源の輝度、すなわち要求輝度が低下するにつれてオンデューティ比を階段状に小さくするようにＰＷＭ制御を行うとともに、オンデューティ比が所定の値にあるときに要求輝度が低下するにつれて光源に供給する電流値を低下させるＰＡＭ制御を行う。これにより、要求輝度に応じた表示輝度が実現される。
【先行技術文献】
【特許文献】
【０００４】
【特許文献１】特開２０１４−０６６９２０号公報
【発明の概要】
【発明が解決しようとする課題】
【０００５】  上記特許文献１に記載の表示装置においては、制御部は、上記ＰＡＭ制御を行う際、電流値を制御することで、要求輝度に応じた表示輝度を実現していた。しかし、電流値の安定した制御が困難な状況では、光の安定性を確保することが困難となる。一例としては、要求輝度が低い場合には、要求輝度に応じて光源に供給される電流値も小さくなる。このため、電流値はノイズの影響を受けやすく、光の安定性を確保することが困難となり、ひいては所望の輝度や色度を実現することが困難となる。【０００６】  本発明は、上記実状を鑑みてなされたものであり、光の安定性をより確保することができる光源駆動装置及びヘッドアップディスプレイ装置を提供することを目的とする。
【課題を解決するための手段】
【０００７】  上記目的を達成するため、本発明の第１の観点に係る光源駆動装置は、第１の光を発する第１の光源と、前記第１の光と異なる色の第２の光を発する第２の光源と、を駆動させる光源駆動装置であって、電源からの電源電圧に基づき前記第１の光源に印加する第１電圧を調整する第１電圧調整部と、前記電源電圧又は前記第１電圧を電力源として、前記第２の光源に印加する第２電圧を生成する第２電圧調整部と、前記第１の光及び前記第２の光の光強度比が所望の光強度比となるように前記第１電圧及び前記第２電圧を設定し、前記第１電圧調整部及び前記第２電圧調整部を通じて、設定された前記第１電圧及び前記第２電圧をそれぞれ前記第１の光源及び前記第２の光源に印加する電圧可変調光処理を行う制御部と、を備える。【０００８】  上記目的を達成するため、本発明の第２の観点に係るヘッドアップディスプレイ装置は、上記光源駆動装置と、前記光源駆動装置により駆動された前記各光源からの前記各光を合成する光合成部と、前記光合成部により合成された合成光に基づきスクリーンに画像を生成する表示素子と、前記表示素子からの前記画像を表す表示光を投射部材に向けて投射することで虚像を表示させる光学系と、を備える。
【発明の効果】
【０００９】  本発明によれば、光の安定性をより確保することができる。
【図面の簡単な説明】
【００１０】
【図１】本発明の第１の実施形態に係るヘッドアップディスプレイ装置が搭載された車両の模式図である。
【図２】本発明の第１の実施形態に係るヘッドアップディスプレイ装置の構成を示す概略図である。
【図３】本発明の第１の実施形態に係る照明装置の構成を示す概略図である。
【図４】本発明の第１の実施形態に係る光源駆動装置の電気的構成を示すブロック図である。
【図５】本発明の第１の実施形態に係る論理回路の電気的構成を示す回路図である。
【図６】本発明の第１の実施形態に係る光源駆動回路の一部及び電源制御ユニットの電気的構成を示すブロック図である。
【図７】本発明の第１の実施形態に係る電源制御ユニットの具体的な電気的構成を示す回路図である。
【図８】本発明の第１の実施形態に係る表示素子の状態と各光源に供給される電流を示すタイミングチャートである。
【図９】本発明の第１の実施形態に係る（ａ）〜（ｆ）はサブフレームにおける各種信号と駆動電流を示すタイミングチャートである。
【図１０】本発明の第１の実施形態に係る（ａ）〜（ｆ）はサブフレームにおける各種信号と駆動電流を示すタイミングチャートである。
【図１１】本発明の第１の実施形態に係る調光処理の処理手順を示すフローチャートである。
【図１２】本発明の第１の実施形態に係る（ａ）は要求輝度とＨＵＤ輝度との関係を示す図であり、（ｂ）は表示期間割合データテーブルを示す図であり、（ｃ）は電流データテーブルを示す図であり、（ｄ）は制限データテーブルを示す図であり、（ｅ）は電圧データテーブルを示す図である。
【図１３】本発明の第２の実施形態に係る各光源に対応する電圧データテーブルを示す図である。
【図１４】本発明の第２の実施形態に係る（ａ）は要求輝度が第１閾値にあるときの光源に供給される電流の波形を示す図であり、（ｂ）は要求輝度が第２閾値にあるときの光源に供給される電流の波形を示す図であり、（ｃ）は要求輝度が第２閾値未満にあるときの光源に供給される電流の波形を示す図である。
【図１５】本発明の第３の実施形態に係る電源制御ユニットの具体的な電気的構成を示す回路図である。
【図１６】本発明の第３の実施形態に係る調光処理の処理手順を示すフローチャートである。
【図１７】本発明の第３の実施形態に係る遅延時間設定処理の処理手順を示すフローチャートである。
【図１８】本発明の第３の実施形態に係る電圧変動処理の処理手順を示すフローチャートである。
【図１９】本発明の第３の実施形態に係る遅延時間データテーブルを示す図である。
【図２０】（ａ）は比較例に係る時間の経過に伴う光源の電圧変動を示すグラフであり、（ｂ）は本発明の第３の実施形態に係る時間の経過に伴う光源の電圧変動を示すグラフである。
【図２１】本発明の変形例に係る時間の経過に伴う光源の電圧変動を示すグラフである。
【発明を実施するための形態】
【００１１】  （第１の実施形態）  本発明に係る光源駆動装置をヘッドアップディスプレイ（ＨＵＤ：Head-Up Display）装置に具体化した第１の実施形態について図面を参照して説明する。
【００１２】  図１に示すように、ＨＵＤ装置１は、車両２のダッシュボードに設置され、画像Ｍ（図２参照）を表す表示光Ｌを生成し、生成した表示光Ｌを投射部材の一例であるウインドシールド３に向けて出射する。この表示光Ｌは、ウインドシールド３で反射したうえで視認者４（主に、車両２の運転者）に到達する。これにより、視認者４は、ウインドシールド３の前方に形成された画像Ｍを表す虚像Ｖを視認可能となる。画像Ｍには、車両２に関する情報（例えば、エンジン回転数、ナビゲーション情報等）が表示される。
【００１３】  （ＨＵＤ装置１の構成）  図２に示すように、ＨＵＤ装置１は、照明装置１０と、光強度検出部５００と、照明光学系２０と、表示素子３０と、光源駆動装置５と、投射光学系４０と、スクリーン５０と、光学系に相当する平面鏡６１及び凹面鏡６２と、筐体７０と、透光部７１と、備える。
【００１４】  筐体７０は、例えば、遮光性の材質により箱状に形成されている。筐体７０内には、照明装置１０、照明光学系２０等のＨＵＤ装置１の各構成が収納される。筐体７０には、表示光Ｌが通過する開口部７０ａが形成されている。  透光部７１は、アクリル等の透光性樹脂からなり、筐体７０の開口部７０ａを塞ぐように設けられている。透光部７１は、到達した外光が視認者４に向かって反射することを抑制するため、例えば湾曲形状に形成されている。
【００１５】  照明装置１０は、合成光Ｃを生成し、その生成した合成光Ｃを照明光学系２０に向けて出射する。具体的には、照明装置１０は、図３に示すように、光源ユニット１１と、回路基板１２と、光合成部１３と、輝度ムラ低減部１４と、透過膜１５と、を備える。
【００１６】  光源ユニット１１は、例えば、それぞれＬＥＤ（Light Emitting Diode）からなる３つの光源１１ｒ，１１ｇ，１１ｂから構成されている。光源１１ｒは赤色光Ｒを発し、光源１１ｇは緑色光Ｇを発し、光源１１ｂは青色光Ｂを発する。光源１１ｒ，１１ｇ，１１ｂの各々は、後述するように光源駆動装置５によって駆動され、所定の光強度及びタイミングで発光する。  なお、例えば、光源１１ｇは第１の光源に相当し、緑色光Ｇは第１の光に相当する。また、光源１１ｒは第２の光源に相当し、赤色光Ｒは第２の光に相当する。また、光源１１ｂは第３の光源に相当し、青色光Ｂは第３の光に相当する。
【００１７】  回路基板１２は、プリント回路板からなる。回路基板１２には、光源１１ｒ，１１ｇ，１１ｂが実装されている。
【００１８】  光合成部１３は、光源１１ｒ，１１ｇ，１１ｂから順次出射される赤色光Ｒ、緑色光Ｇ又は青色光Ｂの光軸を合わせることで合成光Ｃを生成し、その合成光Ｃを輝度ムラ低減部１４に向けて出射する。  具体的には、光合成部１３は、反射ミラー１３ａと、特定の波長の光を反射し、かつ、当該特定の波長以外のその他の波長の光を透過するダイクロイックミラー１３ｂ，１３ｃと、から構成されている。反射ミラー１３ａは、光源１１ｂの出射側に位置する。反射ミラー１３ａは、入射した青色光Ｂを、ダイクロイックミラー１３ｂに向けて反射させる。ダイクロイックミラー１３ｂは、光源１１ｇの出射側に位置する。ダイクロイックミラー１３ｂは、入射した緑色光Ｇをダイクロイックミラー１３ｃに向けて反射させつつ、反射ミラー１３ａからの青色光Ｂをそのまま透過させる。ダイクロイックミラー１３ｃは、光源１１ｒの出射側に位置する。ダイクロイックミラー１３ｃは、入射した赤色光Ｒを輝度ムラ低減部１４に向けて反射させつつ、ダイクロイックミラー１３ｂからの光Ｂ，Ｇをそのまま透過させる。
【００１９】  輝度ムラ低減部１４は、ミラーボックス、アレイレンズ等からなり、光合成部１３からの合成光Ｃを乱反射、散乱、屈折させることで光のムラを低減する。
【００２０】  透過膜１５は、例えば５％程度の反射率を有する透過性部材からなり、輝度ムラ低減部１４を介して到達した合成光Ｃの大部分をそのまま透過させるが、一部の光を光強度検出部５００に向けて反射させる。
【００２１】  光強度検出部５００は、例えばフォトダイオードを有する受光素子からなり、透過膜１５で反射した合成光Ｃを受ける位置に設けられている。光強度検出部５００は、合成光Ｃの一部を受光し、合成光Ｃを構成する光Ｒ、Ｇ、Ｂそれぞれの光強度を時分割で検出する。
【００２２】  照明光学系２０は、図２に示すように、凹状のレンズ等からなり、照明装置１０から出射された合成光Ｃを表示素子３０に対応した大きさに調整する。
【００２３】  表示素子３０は、図２に示すように、反射部の一例である複数の可動式のマイクロミラー３０ａを備えたＤＭＤからなる。このマイクロミラー３０ａは、図示しない電極を備え、この電極に印加される電圧値を切り替えることでオン／オフの何れかの状態となる。マイクロミラー３０ａがオンのとき、マイクロミラー３０ａは、ヒンジを支点に例えば＋１２度傾斜した姿勢を取って、このとき照明光学系２０から出射された合成光Ｃを、投射光学系４０を経てスクリーン５０に向けて反射する。マイクロミラー３０ａがオフのときは、マイクロミラー３０ａは、ヒンジを支点に例えば−１２度傾斜した姿勢を取って、このとき合成光Ｃを投射光学系４０とは異なる方向に反射する。従って、表示素子３０は、光源駆動装置５（具体的には後述する第２の制御部２００）による制御のもと、各マイクロミラー３０ａを個別に駆動することにより、合成光Ｃのうち画像Ｍに対応する光のみを投射光学系４０に向けて投射する。
【００２４】  投射光学系４０は、凹レンズ又は凸レンズ等で構成され、表示素子３０からの表示光Ｌをスクリーン５０に効率良く投射する。
【００２５】  スクリーン５０は、ホログラフィックディフューザ、マイクロレンズアレイ、拡散板等の透光性スクリーンから構成され、投射光学系４０からの表示光Ｌを背面（図２中下側の面）で受光し、前面（図２中上側の面）に画像Ｍを表示する。
【００２６】  平面鏡６１は、スクリーン５０に表示された画像Ｍを表す表示光Ｌを、凹面鏡６２に向けて反射させる。  凹面鏡６２は、平面鏡６１からの表示光Ｌをウインドシールド３に向けて反射する。この表示光Ｌは、筐体７０の透光部７１を透過したうえでウインドシールド３に到達する。これにより、結像される虚像Ｖは、スクリーン５０に表示された画像Ｍよりも拡大される。
【００２７】  （光源駆動装置５の構成）  図４に示すように、光源駆動装置５は、光源１１ｒ，１１ｇ，１１ｂに電圧Ｖｒ，Ｖｇ，Ｖｂを印加する電源制御ユニット３００と、光源１１ｒ，１１ｇ，１１ｂを駆動させる光源駆動部４００と、表示素子３０を制御する第２の制御部２００と、光源駆動部４００及び第２の制御部２００を制御する第１の制御部１００と、を備える。これら光源駆動装置５の各構成は、例えば、筐体７０内に配設された回路基板１２以外のプリント回路基板（図示せず）に実装されている。なお、回路基板１２上に光源駆動装置５の一部又は全部の構成が実装されていてもよい。第１及び第２の制御部１００，２００は制御部の一例である。
【００２８】  光源駆動装置５は、図８に示すように、画像Ｍを表示する制御周期であるフレームＦ毎に制御を行う。フレームＦは、表示期間Ｆａ及び非表示期間Ｆｂからなる。光源駆動装置５は、表示期間Ｆａにおいては、画像Ｍを生成するように、表示素子３０の各マイクロミラー３０ａ及び光源１１ｒ，１１ｇ，１１ｂを駆動させる。光源駆動装置５は、表示期間Ｆａにおいては、サブフレームＦｓ毎に異なる光源１１ｒ，１１ｇ，１１ｂに電流Ｉ（Ｉｒ，Ｉｇ，Ｉｂ）が供給されることで光源１１ｒ，１１ｇ，１１ｂを順次点灯させるフィールドシーケンシャル方式により光源ユニット１１を駆動する。また、光源駆動装置５は、非表示期間Ｆｂにおいては、光源１１ｒ，１１ｇ，１１ｂを全て消灯し、フレームＦにおけるマイクロミラー３０ａのオン期間とオフ期間とが略同一となるように表示素子３０のマイクロミラー３０ａを駆動させる。非表示期間Ｆｂが設定されることで、表示素子３０の各マイクロミラー３０ａが故障することが抑制される。
【００２９】  光源駆動装置５は、フレームＦ全体に表示期間Ｆａが占める表示期間割合を調整する。すなわち、この表示期間割合は、「（表示期間Ｆａ／フレームＦ）×１００％」により算出される。具体的には、図１２（ｂ）に示すように、光源駆動装置５は、この表示期間割合を要求輝度が低下するにつれて階段状に減少するように設定する。また、この表示期間割合は、上記のようにオン期間とオフ期間とを略同一とするため、下限が５０％に設定されている。
【００３０】  図４に示すように、第１の制御部１００は、動作プログラムが記憶されるＲＯＭ（Read Only Memory）等のメモリ１００ａと、時間を計測するタイマ１００ｂと、記憶された動作プログラムを実行することで後述する調光処理等を実行するＣＰＵ（Central Processing Unit）等の処理部１００ｃと、を備える。第１の制御部１００には、車両２の車両ＥＣＵ（Electronic Control Unit）６から、ＬＶＤＳ（Low Voltage Differential Signal）通信等によって、画像Ｍを表示するための映像信号が入力される。  第１の制御部１００は、入力された映像信号を図示しない画像処理ＩＣ（Integrated Circuit）などを経由させて第２の制御部２００に出力する。なお、車両ＥＣＵ６からの映像信号は、第１の制御部１００を経由せずに、第２の制御部２００に、図示しない画像処理ＩＣなどを経由して、直接入力されてもよい。  また、第１の制御部１００は、この映像信号の要求する画像Ｍを表示素子３０に表示させるための表示制御データと、この表示制御データに基づく表示素子３０の駆動に合わせて光源１１ｒ，１１ｇ，１１ｂを駆動させる照明制御データと、を第２の制御部２００に出力する。  また、第１の制御部１００には、車両ＥＣＵ６から、外光強度センサ７を通じて検出された車両２の周辺の外光強度信号（調光信号）ＳＬが入力される。この外光強度信号ＳＬは要求輝度に応じた値となる。
【００３１】  メモリ１００ａには、上述した表示制御データ及び照明制御データに加えて、各種データテーブルが記憶されている。この各種データテーブルは、図１２（ｂ）に示す要求輝度に対する表示期間割合を示す表示期間割合データテーブルと、図１２（ｃ）に示す要求輝度に対する光源１１ｇへ供給される電流Ｉｇを示す電流データテーブルと、図１２（ｄ）に示す要求輝度に対する光源１１ｇへ電流Ｉｇを供給する期間を制限する制限データテーブルと、図１２（ｅ）に示す要求輝度に対する光源１１ｇに印加される電圧Ｖｇを示す電圧データテーブルと、を含む。
【００３２】  第１の制御部１００は、外光強度信号ＳＬに応じて光源駆動部４００を介して光源１１ｒ，１１ｇ，１１ｂの発光強度、ひいてはＨＵＤ輝度（表示輝度）を調整する。  第１の制御部１００は、外光強度信号ＳＬに基づき要求輝度を認識し、図１２（ｂ）に示す表示期間割合データテーブルを参照しつつその要求輝度に応じた表示期間割合にて表示素子３０及び光源１１ｒ，１１ｇ，１１ｂを駆動させる。  第１の制御部１００は、図４に示すように、車両ＥＣＵ６からの外光強度信号ＳＬに基づき閾値となる基準信号ＳＡを生成し、その基準信号ＳＡを光源駆動部４００に出力する。具体的には、第１の制御部１００は、外光強度信号ＳＬに基づき基準信号ＳＡのデューティー比を設定する。第１の制御部１００は、設定したデューティー比のデジタル信号である基準信号ＳＡを出力し、この基準信号ＳＡを積分回路からなるデジタル−アナログ変換器（図示略）によりアナログ信号に変換し、このアナログ信号の基準信号ＳＡを光源駆動部４００（正確には後述する比較回路４１０）に出力する。詳しくは後述するが、この基準信号ＳＡのデューティー比により、光源１１ｒ，１１ｇ，１１ｂに供給される電流Ｉｒ，Ｉｇ，Ｉｂの値が設定される。
【００３３】  第１の制御部１００は、光源１１ｒ，１１ｇ，１１ｂのうち選択された一つを発光させる期間であるサブフレームＦｓ毎に大きさの異なる基準信号ＳＡを出力することができる。第１の制御部１００は、図８に示すように、発光色の異なるサブフレームＦｓ毎に基準信号ＳＡを異ならせてもよい。
【００３４】  図６に示すように、第１の制御部１００は、ＰＷＭ信号Ｓｐ１〜Ｓｐ３を生成し、その生成したＰＷＭ信号Ｓｐ１〜Ｓｐ３を電源制御ユニット３００に出力する。  第１の制御部１００は、ＰＷＭ信号Ｓｐ１のオンデューティ比を設定し、設定したオンデューティ比のＰＷＭ信号Ｓｐ１を電源制御ユニット３００の第１電圧調整部３１０に出力する。後述するように、このＰＷＭ信号Ｓｐ１のオンデューティ比に応じて光源１１ｇに印加される電圧Ｖｇが設定される。  第１の制御部１００は、ＰＷＭ信号Ｓｐ２のオンデューティ比を設定し、設定したオンデューティ比のＰＷＭ信号Ｓｐ２を電源制御ユニット３００の第２電圧調整部３２０に出力する。後述するように、このＰＷＭ信号Ｓｐ２のオンデューティ比に応じて光源１１ｒに印加される電圧Ｖｒが設定される。  第１の制御部１００は、ＰＷＭ信号Ｓｐ３のオンデューティ比を設定し、設定したオンデューティ比のＰＷＭ信号Ｓｐ３を電源制御ユニット３００の第３電圧調整部３３０に出力する。後述するように、このＰＷＭ信号Ｓｐ３のオンデューティ比に応じて光源１１ｂに印加される電圧Ｖｂが設定される。  例えば、電圧Ｖｇは第１電圧に相当し、電圧Ｖｒは第２電圧に相当し、電圧Ｖｂは第３の電圧に相当する。
【００３５】  第２の制御部２００は、所望の機能をハードウェアで実現するＬＳＩ（Large Scale Integration）であり、例えば、ＡＳＩＣ（Application Specific Integrated Circuit）やＦＰＧＡ（Field Programmable Gate Array）などから構成されている。
【００３６】  第２の制御部２００は、図４に示すように、第１の制御部１００による制御のもと、光源駆動部４００（正確には、後述する論理回路４２０）に制限信号ＳＣを出力する。制限信号ＳＣは、図９（ｄ）又は図１０（ｄ）に示すように、光源１１ｒ，１１ｇ，１１ｂの点灯を許可する旨を示すオン、及び光源１１ｒ，１１ｇ，１１ｂの点灯を禁止する旨を示すオフの何れかの状態にある。  第１の制御部１００は、第２の制御部２００を介して、外光強度信号ＳＬに応じて決まる要求輝度に基づきサブフレームＦｓにおける制限信号ＳＣのオンデューティ比を設定し、その設定したオンデューティ比の制限信号ＳＣを出力する。図９（ｄ）の例における制限信号ＳＣ２は、図１０（ｄ）の例における制限信号ＳＣ１よりも外光強度信号ＳＬが大きいため、オンデューティ比が高い。本例では、図１２（ｂ），（ｄ）に示すように、第１の制御部１００は、表示期間割合が６０％〜１００％の範囲にあるとき、制限信号ＳＣのオンデューティ比を１００％に設定する。また、表示期間割合が５０％であり、かつ、要求輝度が第１閾値Ｔｈ１以上にあるとき、要求輝度に応じて、本例では階段状に制限信号ＳＣのオンデューティ比を変化させる。また、要求輝度が第１閾値Ｔｈ１未満にあるとき、制限信号ＳＣのオンデューティ比は下限値に保たれる。
【００３７】  図４に示すように、第２の制御部２００は、第１の制御部１００からの表示制御データに基づき、表示素子３０における各マイクロミラー３０ａをＰＷＭ（Pulse Width Modulation）方式によりオン／オフ制御する。  第２の制御部２００は、第１の制御部１００からの照明制御データに応じて光源１１ｒ，１１ｇ，１１ｂの発光タイミングを制御するイネーブル信号ＥＮ（Ｒ−ＥＮ，Ｇ−ＥＮ，Ｂ−ＥＮ）を生成し、その生成したイネーブル信号ＥＮを光源駆動部４００（正確には、後述する論理回路４２０）に出力する。第２の制御部２００は、イネーブル信号ＥＮとして、光源１１ｒに対応する赤色イネーブル信号Ｒ−ＥＮと、光源１１ｇに対応する緑色イネーブル信号Ｇ−ＥＮと、光源１１ｂに対応する青色イネーブル信号Ｂ−ＥＮと、をそれぞれ異なるタイミングで出力する。イネーブル信号ＥＮは、対応する光源１１ｒ，１１ｇ，１１ｂの点灯を許可する旨を示すオン、及び対応する光源１１ｒ，１１ｇ，１１ｂの点灯を禁止する旨を示すオフの何れかの状態にある。第２の制御部２００は、イネーブル信号ＥＮの出力を通じて、光源１１ｒ，１１ｇ，１１ｂの発光タイミングを表示素子３０の画面制御に同期させる。  なお、第１の制御部１００がイネーブル信号ＥＮ（Ｒ−ＥＮ，Ｇ−ＥＮ，Ｂ−ＥＮ）を生成し、その生成したイネーブル信号ＥＮを第２の制御部２００を介さずに光源駆動部４００に出力してもよい。
【００３８】  光源駆動部４００は、図４に示すように、所望の機能をハードウェアで実現するＬＳＩであり、例えば、第２の制御部２００とは独立したＡＳＩＣやＦＰＧＡ、またはアナログ回路から構成されている。  光源駆動部４００は、基準信号ＳＡと光強度検出信号ＳＦＢとの比較を行う比較回路４１０と、光源１１ｒ，１１ｇ，１１ｂを点灯又は消灯させるスイッチ部４３１，４３２，４３３からなる光源駆動回路４３０と、スイッチ部４３１，４３２，４３３を制御する駆動信号ＳＤを出力する論理回路４２０と、を備える。  簡単に説明すると、光源駆動部４００は、光強度検出部５００からの光強度検出信号ＳＦＢと、第１の制御部１００からの基準信号ＳＡと、第２の制御部２００からのイネーブル信号ＥＮ及び制限信号ＳＣと、を受けて、これら各信号ＳＦＢ，ＳＡ，ＥＮ，ＳＣに基づき光源１１ｒ，１１ｇ，１１ｂを駆動するための駆動信号ＳＤを生成し、この駆動信号ＳＤに基づきスイッチ部４３１，４３２，４３３をオン又はオフさせることで光源１１ｒ，１１ｇ，１１ｂを点灯又は消灯させる。
【００３９】  詳しくは、比較回路４１０は、コンパレータからなり、光強度検出部５００からの光強度検出信号ＳＦＢと第１の制御部１００からの基準信号ＳＡとの比較を行い、比較結果として比較信号ＳＢを論理回路４２０及び第２の制御部２００に出力する。  具体的には、比較回路４１０は、図９（ｂ），（ｃ）に示すように、光強度検出信号ＳＦＢが基準信号ＳＡを超えたとき比較信号ＳＢをオフとする。このように比較信号ＳＢをオフとした場合、図９（ｆ）に示すように、光源１１ｒ，１１ｇ，１１ｂに流れる電流Ｉ（図中の電流Ｉｒ）が低下するため、これにより、光源１１ｒ，１１ｇ，１１ｂの発光強度のフィードバックデータである光強度検出信号ＳＦＢが基準信号ＳＡ未満となるまで減少する。  また、比較回路４１０は、図９（ｂ），（ｃ）に示すように、光強度検出信号ＳＦＢが基準信号ＳＡ以下であるとき比較信号ＳＢをオンとする。このように比較信号ＳＢをオンとした場合、図９（ｆ）に示すように、光源１１ｒ，１１ｇ，１１ｂに流れる電流Ｉ（図中の電流Ｉｒ）が増加するため、これにより、光源１１ｒ，１１ｇ，１１ｂの発光強度のフィードバックデータである光強度検出信号ＳＦＢが基準信号ＳＡを超えるまで増加する。  このように、光強度検出信号ＳＦＢが基準信号ＳＡ以下となったり、光強度検出信号ＳＦＢが基準信号ＳＡを超えたりを繰り返すことで、比較回路４１０は、オンとオフを繰り返すパルス信号である比較信号ＳＢを生成し、基準信号ＳＡに応じた電流Ｉの値を生成する。  なお、光強度検出部５００と比較回路４１０との間には、図示しない増幅回路が設けられており、光強度検出信号ＳＦＢは、この増幅回路により増幅された上で比較回路４１０に入力されてもよい。
【００４０】  論理回路４２０は、制限信号ＳＣ、イネーブル信号ＥＮ及び比較信号ＳＢを受けて、それら信号ＳＣ，ＥＮ，ＳＢに基づき、光源１１ｒ，１１ｇ，１１ｂに対応するスイッチ部４３１，４３２，４３３をオン又はオフする。  具体的には、論理回路４２０は、図５に示すように、第１ＡＮＤ回路４２１と、赤色ＡＮＤ回路４２２と、緑色ＡＮＤ回路４２３と、青色ＡＮＤ回路４２４と、を備える。
【００４１】  第１ＡＮＤ回路４２１は、第２の制御部２００からの制限信号ＳＣと比較回路４１０からの比較信号ＳＢとを入力し、制限信号ＳＣ及び比較信号ＳＢのＡＮＤ信号である駆動信号ＳＤを各ＡＮＤ回路４２２，４２３，４２４に出力する。  すなわち、第１ＡＮＤ回路４２１は、図１０（ｃ）〜（ｅ）に示すように、制限信号ＳＣがオンとなるオン時間Ｔｏｎにおいては、比較信号ＳＢと略同一の波形の駆動信号ＳＤを出力する。よって、制限信号ＳＣのオン時間Ｔｏｎにおいては、比較信号ＳＢがオンのときには駆動信号ＳＤがオンとなり、比較信号ＳＢがオフのときには駆動信号ＳＤがオフとなる。また、第１ＡＮＤ回路４２１は、制限信号ＳＣがオフとなるオフ時間Ｔｏｆにおいては、比較信号ＳＢのオン／オフに関わらず駆動信号ＳＤをオフとする。
【００４２】  赤色ＡＮＤ回路４２２は、図５に示すように、第２の制御部２００からの赤色イネーブル信号Ｒ−ＥＮと第１ＡＮＤ回路４２１からの駆動信号ＳＤとを入力し、赤色イネーブル信号Ｒ−ＥＮ及び駆動信号ＳＤのＡＮＤ信号である赤色駆動信号ＳＤＲを赤色スイッチ部４３１に出力する。また、緑色ＡＮＤ回路４２３は、第２の制御部２００からの緑色イネーブル信号Ｇ−ＥＮと第１ＡＮＤ回路４２１からの駆動信号ＳＤとを入力し、緑色イネーブル信号Ｇ−ＥＮ及び駆動信号ＳＤのＡＮＤ信号である緑色駆動信号ＳＤＧを緑色スイッチ部４３２に出力する。青色ＡＮＤ回路４２４は、第２の制御部２００からの青色イネーブル信号Ｂ−ＥＮと第１ＡＮＤ回路４２１からの駆動信号ＳＤとを入力し、青色イネーブル信号Ｂ−ＥＮ及び駆動信号ＳＤのＡＮＤ信号である青色駆動信号ＳＤＢを青色スイッチ部４３３に出力する。
【００４３】  図９（ａ）及び図１０（ａ）に示す所定のサブフレームＦｓにおいては、イネーブル信号ＥＮのうち赤色イネーブル信号Ｒ−ＥＮのみがオンとなっている。この場合、図９（ｅ）及び図１０（ｅ）に示すように、赤色ＡＮＤ回路４２２は、第１ＡＮＤ回路４２１からの駆動信号ＳＤと同一波形の赤色駆動信号ＳＤＲを出力する。このサブフレームＦｓにおいて、緑色ＡＮＤ回路４２３及び青色ＡＮＤ回路４２４は、それぞれオフ状態の緑色イネーブル信号Ｇ−ＥＮ及び青色イネーブル信号Ｂ−ＥＮを入力するため、オフ状態にある緑色駆動信号ＳＤＧ及び青色駆動信号ＳＤＢを出力する。
【００４４】  スイッチ部４３１，４３２，４３３は、例えば、ｎ型チャネルのＦＥＴ（Field Effect Transistor）を用いたスイッチング素子からなる。スイッチ部４３１，４３２，４３３は、論理回路４２０からの駆動信号ＳＤＲ，ＳＤＧ，ＳＤＢに応じてオン状態又はオフ状態に切り替わる。  図６に示すように、赤色スイッチ部４３１は光源１１ｒのカソード側に接続され、緑色スイッチ部４３２は光源１１ｇのカソード側に接続され、青色スイッチ部４３３は光源１１ｂのカソード側に接続される。赤色スイッチ部４３１は、赤色ＡＮＤ回路４２２からの赤色駆動信号ＳＤＲがオンのときにオン状態となる。赤色スイッチ部４３１がオン状態にあるとき、電源制御ユニット３００から光源１１ｒに電流Ｉｒが供給され、これにより光源１１ｒは赤色光Ｒを発する。また、赤色スイッチ部４３１は、赤色ＡＮＤ回路４２２からの赤色駆動信号ＳＤＲがオフのときにオフ状態となる。赤色スイッチ部４３１がオフ状態にあるとき光源１１ｒは消灯状態となる。これと同様に、緑色スイッチ部４３２及び青色スイッチ部４３３についても、緑色駆動信号ＳＤＧ及び青色駆動信号ＳＤＢのオン又はオフに応じて光源１１ｇ及び光源１１ｂを点灯又は消灯する。  第１の制御部１００及び光源駆動部４００は、光源１１ｇに供給する電流Ｉｇを調整する第１電流調整部と、光源１１ｒに供給する電流Ｉｒを調整する第２電流調整部と、光源１１ｂに供給する電流Ｉｂを調整する第３電流調整部と、に相当する。
【００４５】  図４に示すように、電源制御ユニット３００は、各光源１１ｒ，１１ｇ，１１ｂのアノード側に接続されている。電源制御ユニット３００は、車両２の電源であるバッテリ７００からの電源電圧を受けて、第１の制御部１００による制御のもとで光源１１ｒ，１１ｇ，１１ｂにそれぞれ電圧Ｖｒ，Ｖｇ，Ｖｂを印加する。
【００４６】  図６に示すように、電源制御ユニット３００は、第１の制御部１００による制御のもと、光源１１ｒ，１１ｇ，１１ｂに印加される電圧Ｖｒ，Ｖｇ，Ｖｂを制御する第１〜第３電圧調整部３１０〜３３０を備える。
【００４７】  第１電圧調整部３１０は、第１の制御部１００からのＰＷＭ信号Ｓｐ１を受けると、そのＰＷＭ信号Ｓｐ１のオンデューティ比に応じた電圧Ｖｇを光源１１ｇに印加する。  第２電圧調整部３２０は、第１の制御部１００からのＰＷＭ信号Ｓｐ２を受けると、そのＰＷＭ信号Ｓｐ２のオンデューティ比に応じた電圧Ｖｒを光源１１ｒに印加する。本例では、第２電圧調整部３２０は、第１電圧調整部３１０からの電圧Ｖｇを電力源として電圧Ｖｒを生成する。この電圧Ｖｒは、電圧Ｖｇ以下の電圧値に設定される。  第３電圧調整部３３０は、第１の制御部１００からのＰＷＭ信号Ｓｐ３を受けると、そのＰＷＭ信号Ｓｐ３のオンデューティ比に応じた電圧Ｖｂを光源１１ｂに印加する。本例では、第３電圧調整部３３０は、第１電圧調整部３１０からの電圧Ｖｇを電力源として電圧Ｖｂを生成する。この電圧Ｖｂは、電圧Ｖｇ以下の電圧値に設定される。
【００４８】  図７に示すように、第１電圧調整部３１０は、電源ＩＣ（Integrated Circuit）３１６と、抵抗Ｒ４及びコンデンサ３１５からなるＤ／Ａ変換回路３１１と、抵抗Ｒ１〜Ｒ３と、平滑用コンデンサ３１８と、を備える。Ｄ／Ａ変換回路３１１は、デジタル信号であるＰＷＭ信号Ｓｐ１を受けて、ＰＷＭ信号Ｓｐ１のオンデューティ比に応じた電流値のアナログ信号Ｓａ１を生成する。  電源ＩＣ３１６は、例えば、降圧型ＤＣ／ＤＣコンバータである。電源ＩＣ３１６は、バッテリ７００からの電源電圧を受けて、アナログ信号Ｓａ１に応じた電圧Ｖｇを生成し、その生成した電圧Ｖｇを光源１１ｇに印加する。電源ＩＣ３１６は、抵抗Ｒ１，Ｒ２により分圧された電圧を受けてフィードバック制御を行う。平滑用コンデンサ３１８は、その一端が電源ＩＣ３１６と光源１１ｇとの間を接続する接続線Ｌｇに接続され、その他端がグランドに接続される。平滑用コンデンサ３１８は電圧Ｖｇの変動を平滑化する。  なお、平滑用コンデンサ３１８は省略してもよい。
【００４９】  第２電圧調整部３２０は、抵抗Ｒ８及びコンデンサ３２５からなるＤ／Ａ変換回路３２１と、非反転増幅回路３２６と、抵抗Ｒ７と、スイッチ部３２９と、平滑用コンデンサ３２８と、を備える。  Ｄ／Ａ変換回路３２１は、ＰＷＭ信号Ｓｐ２を受けて、ＰＷＭ信号Ｓｐ２に応じたアナログ信号Ｓａ２を生成し、その生成したアナログ信号Ｓａ２を非反転増幅回路３２６に出力する。  非反転増幅回路３２６は、入力したアナログ信号Ｓａ２に基づき増幅したＰＷＭ信号Ｓｐ２を生成し、その増幅したＰＷＭ信号Ｓｐ２をスイッチ部３２９に出力する。非反転増幅回路３２６は、オペアンプ３２７と、抵抗Ｒ５，Ｒ６と、を備える。非反転増幅回路３２６は、公知であるため、その詳細な説明を省略する。  スイッチ部３２９は、例えば、ＦＥＴを用いたスイッチング素子からなる。スイッチ部３２９は、増幅されたＰＷＭ信号Ｓｐ２に応じてオン状態又はオフ状態に切り替わる。これにより、スイッチ部３２９は、オン状態にあるとき電源ＩＣ３１６からの電圧Ｖｇを光源１１ｒ側に出力し、オフ状態にあるとき光源１１ｂ側への電圧Ｖｇの出力を停止する。これにより、矩形波が生成される。平滑用コンデンサ３２８は、その一端が非反転増幅回路３２６と光源１１ｒとの間を接続する接続線Ｌｒに接続され、その他端がグランドに接続される。平滑用コンデンサ３２８は、上記矩形波を平滑化することで電圧Ｖｒを生成し、この電圧Ｖｒを光源１１ｒに印加する。  抵抗Ｒ７は、例えば、スイッチ部３２９を保護するために設けられている。
【００５０】  第３電圧調整部３３０は、抵抗Ｒ１２及びコンデンサ３３５からなるＤ／Ａ変換回路３３１と、非反転増幅回路３３６と、抵抗Ｒ１１と、スイッチ部３３９と、平滑用コンデンサ３３８と、を備える。  Ｄ／Ａ変換回路３３１は、ＰＷＭ信号Ｓｐ３を受けて、ＰＷＭ信号Ｓｐ３に応じた電流値のアナログ信号Ｓａ３を生成し、その生成したアナログ信号Ｓａ３を非反転増幅回路３３６に出力する。  非反転増幅回路３３６は、入力したアナログ信号Ｓａ３に基づき増幅したＰＷＭ信号Ｓｐ３を生成し、その増幅したＰＷＭ信号Ｓｐ３をスイッチ部３３９に出力する。非反転増幅回路３３６は、オペアンプ３３７と、抵抗Ｒ９，Ｒ１０と、を備える。非反転増幅回路３３６は、公知であるため、その詳細な説明を省略する。  スイッチ部３３９は、例えば、ＦＥＴを用いたスイッチング素子からなる。スイッチ部３３９は、増幅されたＰＷＭ信号Ｓｐ３に応じてオン状態又はオフ状態に切り替わる。これにより、スイッチ部３３９は、オン状態にあるとき電源ＩＣ３１６からの電圧Ｖｇを光源１１ｂ側に出力し、オフ状態にあるとき光源１１ｂ側への電圧Ｖｇの出力を停止する。これにより、矩形波が生成される。平滑用コンデンサ３３８は、その一端が非反転増幅回路３３６と光源１１ｂとの間を接続する接続線Ｌｂに接続され、その他端がグランドに接続される。平滑用コンデンサ３３８は、上記矩形波を平滑化することで電圧Ｖｇを生成し、この電圧Ｖｇを光源１１ｂに印加する。  抵抗Ｒ１１は、例えば、スイッチ部３３９を保護するために設けられている。
【００５１】  （第１の制御部１００の制御内容）  次に、図１１のフローチャートに沿って、第１の制御部１００による調光処理手順について説明する。  まず、第１の制御部１００は、外光強度センサ７を通じて外光強度信号ＳＬを取得する（ステップＳ１０１）。この外光強度信号ＳＬは要求輝度に応じた値となり、すなわち、外光強度信号ＳＬが大きくなるにつれて要求輝度も大きくなる。第１の制御部１００は、外光強度信号ＳＬに応じた要求輝度が第１閾値Ｔｈ１以上であるか否かを判断する（ステップＳ１０２）。第１の制御部１００は、要求輝度が第１閾値Ｔｈ１以上である旨判断すると（ステップＳ１０２：ＹＥＳ）、高輝度モードに移行する（ステップＳ１０３）。第１の制御部１００は、高輝度モードに移行した後、光源１１ｒ，１１ｇ，１１ｂに印加する電圧Ｖｒ，Ｖｇ，Ｖｂを一定電圧Ｖｎに設定する（ステップＳ１０４）。上述したようにＰＷＭ信号Ｓｐ１〜Ｓｐ３のオンデューティ比が固定されることにより、この一定電圧Ｖｎが維持される。これにより、高輝度モードにおいては、常に各光源１１ｒ，１１ｇ，１１ｂに一定電圧Ｖｎが印加される。そして、第１の制御部１００は、図１２（ｂ）の表示期間割合データテーブルを参照することで要求輝度に応じて表示期間割合を設定し、図１２（ｄ）の制限データテーブルを参照することで制限信号ＳＣのオンデューティ比を設定するとともに（ステップＳ１０５）、図１２（ｃ）の電流データテーブルを参照することで要求輝度に応じて光源１１ｇに供給する電流Ｉｇを設定する（ステップＳ１０６）。  なお、ステップＳ１０４〜Ｓ１０６の処理の順番は適宜変更してもよいし、同時に行われてもよい。
【００５２】  次に、第１の制御部１００は、設定された電流Ｉｇを基準として、予めメモリ１００ａに記憶される所望の光強度比を実現するように電流Ｉｒ，Ｉｂを設定する（ステップＳ１０７）。例えば、この光強度比は、光源１１ｇの光強度と光源１１ｒの光強度比である第１の光強度比、及び光源１１ｇの光強度と光源１１ｂの光強度比である第２の光強度比からなる。所望の光強度比は、一例として、ホワイトバランスが保たれる光強度比である。そして、第１の制御部１００は、設定した電流Ｉｒ，Ｉｇ，Ｉｂを対応する光源１１ｒ，１１ｇ，１１ｂに供給する（ステップＳ１０８）。このステップＳ１０８の処理は、例えば、図８に示す非表示期間Ｆｂにおいて行われる。
【００５３】  次に、第１の制御部１００は、光強度検出部５００を介して実際の光強度比を認識する（ステップＳ１０９）。そして、第１の制御部１００は、実際の光強度比と所望の光強度比とが一致しているか否かを判断する（ステップＳ１１０）。  第１の制御部１００は、実際の光強度比と所望の光強度比とが一致しない場合（ステップＳ１１０：ＮＯ）、上記ステップＳ１０７の処理に戻って、所望の光強度比を実現するように再び電流Ｉｒ，Ｉｂを設定する。これ以降、実際の光強度比と所望の光強度比とが一致するまで、上記ステップＳ１０７〜Ｓ１１０の処理が繰り返される。
【００５４】  第１の制御部１００は、実際の光強度比と所望の光強度比とが一致する場合（ステップＳ１１０：ＹＥＳ）、設定された電流Ｉｒ，Ｉｇ，Ｉｂを光源１１ｒ，１１ｇ，１１ｂに供給することで、図１２（ａ）に示すように、要求輝度に応じたＨＵＤ輝度を実現しつつ、所望の色度を実現することができる。
【００５５】  第１の制御部１００は、要求輝度が第１閾値Ｔｈ１未満である旨判断すると（ステップＳ１０２：ＮＯ）、低輝度モードに移行する（ステップＳ１１１）。第１の制御部１００は、低輝度モードに移行した後、電流Ｉｒ，Ｉｇ，Ｉｂを一定電流Ｉｎに設定する（ステップＳ１１２）。この一定電流Ｉｎは、ノイズに埋もれない値に設定されている。そして、第１の制御部１００は、図１２（ｂ）の表示期間割合データテーブルを参照することで要求輝度に応じて表示期間割合を設定し、図１２（ｄ）の制限データテーブルを参照することで制限信号ＳＣのオンデューティ比を設定するとともに（ステップＳ１１３）、図１２（ｄ）の電圧データテーブルを参照することで、要求輝度に応じた電圧Ｖｇを設定する（ステップＳ１１４）。図１２（ｄ）の電圧データテーブルに示すように、要求輝度が第１閾値Ｔｈ１未満にある領域においては、要求輝度が小さくなるほど電圧Ｖｇがリニアに小さくなるように設定されている。
【００５６】  第１の制御部１００は、設定した電圧Ｖｇを基準として、上述した所望の光強度比を実現するように電圧Ｖｒ，Ｖｂを設定する（ステップＳ１１５）。そして、第１の制御部１００は、設定した電圧Ｖｒ，Ｖｇ，Ｖｂを実際に対応する光源１１ｒ，１１ｇ，１１ｂに印加する（ステップＳ１１６）。このステップＳ１１６の処理は、例えば、図８に示す非表示期間Ｆｂにおいて行われる。次に、第１の制御部１００は、光強度検出部５００を介して実際の光強度比を認識する（ステップＳ１１７）。そして、第１の制御部１００は、実際の光強度比と所望の光強度比とが一致しているか否かを判断する（ステップＳ１１８）。
【００５７】  第１の制御部１００は、実際の光強度比と所望の光強度比とが一致しない場合（ステップＳ１１８：ＮＯ）、上記ステップＳ１１５の処理に戻って、所望の光強度比を実現するように再び電圧Ｖｒ，Ｖｂを設定する。これ以降、実際の光強度比と所望の光強度比とが一致するまで、上記ステップＳ１１５〜Ｓ１１８の処理が繰り返される。
【００５８】  第１の制御部１００は、実際の光強度比と所望の光強度比とが一致する場合（ステップＳ１１８：ＹＥＳ）、設定された電圧Ｖｒ，Ｖｇ，Ｖｂを光源１１ｒ，１１ｇ，１１ｂに印加することで、図１２（ａ）に示すように、要求輝度に応じたＨＵＤ輝度を実現しつつ、所望の色度を実現することができる。以上で、当該フローチャートに係る調光処理を終了する。  なお、上記ステップＳ１１２〜Ｓ１１８の処理は電圧調整処理に相当し、上記ステップＳ１０４〜Ｓ１１０の処理は電流可変調光処理に相当する。
【００５９】  なお、ステップＳ１１８でＮＯの後のステップＳ１１５、又はステップＳ１１０でＮＯの後のステップＳ１０７においては、第１の制御部１００は、所望の光強度比のうち上記第１の光強度比（光源１１ｇの光強度と光源１１ｒの光強度比）が実際の光強度比と一致し、上記第２の光強度比（光源１１ｇの光強度と光源１１ｂの光強度比）が実際の光強度比と一致しない場合、光源１１ｂに対応する電圧Ｖｂのみを調整してもよい。同様に、第１の制御部１００は、所望の光強度比のうち上記第２の光強度比が実際の光強度比と一致し、上記第１の光強度比が実際の光強度比と一致しない場合、光源１１ｒに対応する電圧Ｖｒのみを調整してもよい。
【００６０】  上記によれば、図１２（ａ）〜（ｅ）に示すように、低輝度モードにあるとき、表示期間割合、電流Ｉｇ及び制限信号ＳＣのオンデューティ比を一定に保ちつつ、電圧Ｖｇを変化させることで、要求輝度に応じたＨＵＤ輝度が実現される。また、高輝度モードの高輝度範囲にあるとき、制限信号ＳＣのオンデューティ比及び電圧Ｖｇを一定に保ちつつ、表示期間割合及び電流Ｉｇを変化させることで、要求輝度に応じたＨＵＤ輝度が実現される。また、高輝度モードの低輝度範囲にあるとき、表示期間割合及び電圧Ｖｇを一定に保ちつつ、制限信号ＳＣのオンデューティ比及び電流Ｉｇを変化させることで、要求輝度に応じたＨＵＤ輝度が実現される。
【００６１】  （効果）  以上、説明した第１の実施形態によれば、以下の効果を奏する。
【００６２】  （１）光源駆動装置５は、緑色光Ｇを発する光源１１ｇと、赤色光Ｒを発する光源１１ｒと、を駆動させる。光源駆動装置５は、バッテリ７００からの電源電圧に基づき光源１１ｇに印加する電圧Ｖｇを調整する第１電圧調整部３１０と、電圧Ｖｇを電力源として、光源１１ｒに印加する電圧Ｖｒを生成する第２電圧調整部３２０と、電圧可変調光処理を行う第１の制御部１００と、を備える。電圧可変調光処理は、緑色光Ｇ及び赤色光Ｒの光強度比が所望の光強度比となるように電圧Ｖｇ及び電圧Ｖｒを設定し、第１電圧調整部３１０及び第２電圧調整部３２０を通じて、設定された電圧Ｖｇ及び電圧Ｖｒをそれぞれ光源１１ｇ及び光源１１ｒに印加する処理である。  上記構成によれば、光源１１ｇ及び光源１１ｒに印加する電圧Ｖｇ及び電圧Ｖｒを制御する電圧値制御を行うことで、ノイズに埋もれない程度の電流値を維持することができる。これにより、光の安定性をより確保することができ、ひいては所望の輝度や色度を実現することができる。
【００６３】  （２）第１の制御部１００は、光源１１ｇに供給する電流Ｉｇを調整し、光源１１ｒに供給する電流Ｉｒを調整する。第１の制御部１００は、要求輝度が第１閾値Ｔｈ１未満の場合には電圧可変調光処理において、緑色光Ｇ及び赤色光Ｒの光強度比が所望の光強度比となりつつ要求輝度に応じた電圧Ｖｇ及び電圧Ｖｒを設定する。第１の制御部１００は、要求輝度が第１閾値Ｔｈ１以上の場合には電流可変調光処理を行う。この電流可変調光処理は、緑色光Ｇ及び赤色光Ｒの光強度比が所望の光強度比となりつつ要求輝度に応じた電流Ｉｇ及び電流Ｉｒを設定し、設定された電流Ｉｇ及び電流Ｉｒをそれぞれ光源１１ｇ及び光源１１ｒに供給する処理である。  この構成によれば、低輝度時には、電圧可変調光処理が行われるため、電流Ｉｇ及び電流Ｉｒをノイズに埋もれるほどに低下させる必要がない。よって、より光の安定性を確保することができ、ひいては所望の輝度や色度を実現することができる。
【００６４】  （３）光源駆動装置５は、要求輝度に応じた光源１１ｇに印加する電圧Ｖｇの値を示す電圧データテーブルが記憶されるメモリ１００ａと、緑色光Ｇの光強度及び赤色光Ｒの光強度を検出する光強度検出部５００と、を備える。第１の制御部１００は、電圧可変調光処理においては、記憶される電圧データテーブルを参照して要求輝度に応じた電圧Ｖｇを設定するとともに、光強度検出部５００の検出結果に基づき緑色光Ｇ及び赤色光Ｒの光強度比が所望の光強度比となるように、当該設定された電圧Ｖｇを基準として電圧Ｖｒを設定する。  この構成によれば、電圧Ｖｇを基準として他の電圧Ｖｒが設定される。ここで、光源１１ｇからの緑色光Ｇは、人間の視覚に与える影響が最も大きい。よって、電圧Ｖｇを基準とすることで、所望の輝度及び色度を実現しやすくなる。
【００６５】  （４）メモリ１００ａには、要求輝度に応じた光源１１ｇに供給する電流Ｉｇの値を示す電流データテーブルが記憶される。第１の制御部１００は、電流可変調光処理においては、電流データテーブルを参照して要求輝度に応じた電流Ｉｇを設定するとともに、光強度検出部５００の検出結果に基づき緑色光Ｇ及び赤色光Ｒの光強度比が所望の光強度比となるように、当該設定された電流Ｉｇを基準として電流Ｉｒを設定する。  この構成によれば、電流Ｉｇを基準として他の電流Ｉｒが設定される。ここで、光源１１ｇからの緑色光Ｇは、人間の視覚に与える影響が最も大きい。よって、電流Ｉｇを基準とすることで、所望の輝度及び色度を実現しやすくなる。
【００６６】  （５）第１の制御部１００は、電流可変調光処理、すなわち要求輝度が第１閾値Ｔｈ１以上の場合においては、第１電圧調整部３１０を通じて電圧Ｖｇを一定電圧Ｖｎに保持し、電圧可変調光処理、すなわち要求輝度が第１閾値Ｔｈ１未満の場合においては、要求輝度が低くなるにつれて第１電圧調整部３１０を通じて徐々に電圧Ｖｇを低下させる。  この構成によれば、電圧Ｖｇの変化を必要最小限に留めることができ、光の安定性を確保することができる。
【００６７】  （６）第１の制御部１００は、電圧可変調光処理、すなわち要求輝度が第１閾値Ｔｈ１未満の場合においては電流Ｉｇを一定電流Ｉｎに保持し、電流可変調光処理、すなわち要求輝度が第１閾値Ｔｈ１以上の場合においては要求輝度に応じた電流Ｉｇを設定する。一定電流Ｉｎは、例えば、ノイズに埋もれない程度の値に設定される。  この構成によれば、電流Ｉｇが一定電流Ｉｎ以下となることが抑制されるため、光の安定性を確保することができる。
【００６８】  （７）光源駆動装置５は、光源１１ｇ及び光源１１ｒに加えて、青色光Ｂを発する光源１１ｂを駆動させる。さらに、光源駆動装置５は、電圧Ｖｇを電力源として、光源１１ｂに印加する電圧Ｖｂを生成する第３電圧調整部３３０を備えるとともに、光源１１ｂに供給する電流Ｉｂを調整する。第１の制御部１００は、電圧可変調光処理においては、緑色光Ｇ、赤色光Ｒ及び青色光Ｂの光強度比が所望の光強度比となるように、電圧Ｖｇ、電圧Ｖｒ及び電圧Ｖｂを設定し、電流可変調光処理においては、緑色光Ｇ、赤色光Ｒ及び青色光Ｂの光強度比が所望の光強度比となるように、電流Ｉｇ、電流Ｉｒ及び電流Ｉｂを設定する。  この構成によれば、電圧可変調光処理及び電流可変調光処理の何れの場合も、緑色光Ｇ、赤色光Ｒ及び青色光Ｂの光強度比が所望の光強度比となるように設定される。
【００６９】  （８）第１電圧調整部３１０はバッテリ７００からの電源電圧を降圧することで電圧Ｖｇを調整し、第２電圧調整部３２０は第１電圧調整部３１０を通じて調整された電圧Ｖｇを受けて電圧Ｖｒを生成し、第３電圧調整部３３０は第１電圧調整部３１０を通じて調整された電圧Ｖｇを受けて電圧Ｖｂを生成する。  この構成によれば、第２及び第３電圧調整部３２０，３３０はバッテリ７００からの電源電圧を降圧する必要がないことから、第２及び第３電圧調整部３２０，３３０をより簡易に構成することができる。
【００７０】  （９）所望の光強度比は、要求輝度に応じて予め設定される。この構成によれば、第１の制御部１００は所望の光強度比を迅速に特定することができる。
【００７１】  （第２の実施形態）  本発明に係る光源駆動装置をＨＵＤ装置に具体化した第２の実施形態について図１３及び図１４を参照して説明する。本実施形態では、光源１１ｒ，１１ｇ，１１ｂ毎に異なる電流データテーブル及び電圧データテーブルが設定されている点が主に第１の実施形態と異なる。以下、第１の実施形態との相違点を中心に説明する。
【００７２】  メモリ１００ａには、第１の実施形態における図１２（ｃ）に示した光源１１ｇに対応する電流データテーブルのみならず、光源１１ｒに対応する電流データテーブル及び光源１１ｂに対応する電流データテーブルも記憶されている。各電流データテーブルは、光源１１ｒ，１１ｇ，１１ｂの個体差を考慮して製造時にキャリブレーションすることで生成される。
【００７３】  また、メモリ１００ａには、光源１１ｇに対応した第１電圧データテーブルＴｇと、光源１１ｒに対応した第２電圧データテーブルＴｒと、光源１１ｂに対応した第３電圧データテーブルＴｂと、が記憶されている。図１３に示すように、各電圧データテーブルＴｒ，Ｔｇ，Ｔｂは、要求輝度が第２閾値Ｔｈ２以上の領域において（言い換えると、光源１１ｒ，１１ｇ，１１ｂに印加する電圧がＶｌからＶｎである領域において）は、それぞれ同一の電圧値をとり、要求輝度の低下に応じて、一様に低下する。そして、要求輝度が第２閾値Ｔｈ２未満の領域においては、各電圧データテーブルＴｒ，Ｔｇ，Ｔｂは、要求輝度が低下するにつれて電圧値が低下するように、本例ではリニアに変化する。各電圧データテーブルＴｒ，Ｔｇ，Ｔｂは、要求輝度が第２閾値Ｔｈ２未満の領域においては、それぞれ異なる傾きを持って変化する。本例では、第２電圧データテーブルＴｒは第３電圧データテーブルＴｂより傾きが大きく、第３電圧データテーブルＴｂは第１電圧データテーブルＴｇより傾きが大きい。この第２閾値Ｔｈ２は、高輝度モード及び低輝度モードの判断基準となる第１閾値Ｔｈ１より小さい値をとる。この第２閾値Ｔｈ２は、図１４（ａ），（ｂ）に示す立ち上がり時間Ｔｒ１，Ｔｒ２が概ね一定となる電圧Ｖｒ，Ｖｇ，Ｖｂの範囲内、例えばその範囲の下限値に設定されている。この立ち上がり時間Ｔｒ１，Ｔｒ２，Ｔｒ３は、各光源１１ｒ，１１ｇ，１１ｂに電圧Ｖｒ，Ｖｇ，Ｖｂを印加してからピーク電流値Ｉｐ１，Ｉｐ２，Ｉｐ３をとるまでの時間をいう。
【００７４】  例えば、図１４（ａ）に示す要求輝度が第１閾値Ｔｈ１にあるときの立ち上がり時間Ｔｒ１は、図１４（ｂ）に示す要求輝度が第２閾値Ｔｈ２にあるときの立ち上がり時間Ｔｒ２と略同一である。また、図１４（ａ）に示す要求輝度が第１閾値Ｔｈ１にあるときのピーク電流値Ｉｐ１は、図１４（ｂ）に示す要求輝度が第２閾値Ｔｈ２にあるときのピーク電流値Ｉｐ２よりも大きい。  よって、第２閾値Ｔｈ２以上の領域においては、電圧Ｖｒ，Ｖｇ，Ｖｂの調整により、ピーク電流値Ｉｐ１，Ｉｐ２、ひいては光源１１ｒ，１１ｇ，１１ｂの輝度を調整することができる。
【００７５】  一方、図１４（ｃ）に示す要求輝度が第２閾値Ｔｈ２未満にあるときの立ち上がり時間Ｔｒ３は、上記立ち上がり時間Ｔｒ１，Ｔｒ２に比べて長くなる。この立ち上がり時間Ｔｒ３は、光源１１ｒ，１１ｇ，１１ｂ毎に異なり、例えば、光源１１ｒの立ち上がり時間Ｔｒ３は、図１４（ｃ）の破線で示す波形における光源１１ｇ，１１ｂの立ち上がり時間Ｔｒ３’よりも長くなる。上述した各電圧データテーブルＴｒ，Ｔｇ，Ｔｂは、この点を加味して、要求輝度が第２閾値Ｔｈ２未満の領域においては、各電圧データテーブルＴｒ，Ｔｇ，Ｔｂ毎に異なる電圧値に設定されている。  よって、例えば、光源１１ｒと光源１１ｇとを同一の輝度で発光させる場合、第１の制御部１００は、第１電圧データテーブルＴｇ及び第２電圧データテーブルＴｒを参照して、光源１１ｇの電圧Ｖｇを光源１１ｒの電圧Ｖｒよりも大きい電圧値に設定する。
【００７６】  本実施形態では、第１の制御部１００は、第１の実施形態の図１１のステップＳ１１４において、各電圧データテーブルＴｒ，Ｔｇ，Ｔｂを参照することで電圧Ｖｒ，Ｖｇ，Ｖｂを設定する。本実施形態では、第１の実施形態のステップＳ１１５に係る処理を省略してもよい。さらに、本実施形態では、第１の実施形態のステップＳ１１５〜Ｓ１１８に係る処理を省略してもよい。  同様に、本実施形態では、第１の制御部１００は、第１の実施形態の図１１のステップＳ１０６において、各電圧データテーブルＴｒ，Ｔｇ，Ｔｂを参照することで電流Ｉｒ，Ｉｇ，Ｉｂを設定する。本実施形態では、第１の実施形態のステップＳ１０７に係る処理を省略してもよい。さらに、本実施形態では、第１の実施形態のステップＳ１０７〜Ｓ１１０に係る処理を省略してもよい。
【００７７】  （効果）  以上、説明した第２の実施形態によれば、以下の効果を奏する。  （１）光源駆動装置５は、要求輝度に応じた光源１１ｇに印加する電圧Ｖｇの値を示す第１電圧データテーブルＴｇと、要求輝度に応じた光源１１ｒに印加する電圧Ｖｒの値を示す第２電圧データテーブルＴｒとが記憶されるメモリ１００ａを備える。第１電圧データテーブルＴｇ及び第２電圧データテーブルＴｒは、要求輝度が第１閾値Ｔｈ１より小さい値に設定される第２閾値Ｔｈ２以上であるときそれぞれ同一の値をとり、要求輝度が第２閾値Ｔｈ２未満であるとき要求輝度に応じた表示輝度を実現する電圧Ｖｇ及び電圧Ｖｒとなるようにそれぞれ異なる値をとる。第１の制御部１００は、緑色光Ｇ及び赤色光Ｒの光強度比が所望の光強度比となるように、第１電圧データテーブルＴｇ及び第２電圧データテーブルＴｒを参照して要求輝度に応じた電圧Ｖｇ及び電圧Ｖｒを設定する。  この構成によれば、要求輝度が第２閾値Ｔｈ２未満となる低輝度領域においても所望の光強度比が保たれる。また、電圧Ｖｇ及び電圧Ｖｒを設定する際、要求輝度に基づき第１電圧データテーブルＴｇ及び第２電圧データテーブルＴｒを参照するだけでよいため調光を迅速に行うことができる。
【００７８】  （第３の実施形態）  本発明に係る光源駆動装置をＨＵＤ装置に具体化した第３の実施形態について図１５〜図２０を参照して説明する。本実施形態では、平滑用コンデンサにチャージされた電荷を異なるタイミングで放電する点が主に第１及び第２の実施形態と異なる。以下、第１及び第２の実施形態との相違点を中心に説明する。
【００７９】  図１５に示すように、第１電圧調整部３１０は、さらに、放電線Ｌ１と、抵抗Ｒｇと、スイッチ部Ｓｗｇと、を備える。  抵抗Ｒｇ及びスイッチ部Ｓｗｇは放電線Ｌ１に直列に設けられる。放電線Ｌ１の一端は接続線Ｌｇに接続され、放電線Ｌ１の他端はグランドに接続される。抵抗Ｒｇ及びスイッチ部Ｓｗｇは、平滑用コンデンサ３１８に並列に接続される。  スイッチ部Ｓｗｇは、例えば、ＦＥＴを用いたスイッチング素子からなる。スイッチ部Ｓｗｇは、第１の制御部１００による制御のもと、オン状態及びオフ状態の間で切り替わる。スイッチ部Ｓｗｇがオフ状態からオン状態に切り替えられたとき、平滑用コンデンサ３１８にチャージされた電荷は放電線Ｌ１を介してグランドに流れる。  抵抗Ｒｇは、電流制限用であって、スイッチ部Ｓｗｇと接続線Ｌｇの間に設けられる。
【００８０】  第２電圧調整部３２０は、さらに、放電線Ｌ２と、抵抗Ｒｒと、スイッチ部Ｓｗｒと、を備える。  抵抗Ｒｒ及びスイッチ部Ｓｗｒは放電線Ｌ２に直列に設けられる。放電線Ｌ２の一端は接続線Ｌｒに接続され、放電線Ｌ２の他端はグランドに接続される。抵抗Ｒｒ及びスイッチ部Ｓｗｒは、平滑用コンデンサ３２８に並列に接続される。  スイッチ部Ｓｗｒは、例えば、ＦＥＴを用いたスイッチング素子からなる。スイッチ部Ｓｗｒは、第１の制御部１００による制御のもと、オン状態及びオフ状態の間で切り替わる。スイッチ部Ｓｗｒがオフ状態からオン状態に切り替えられたとき、平滑用コンデンサ３２８にチャージされた電荷は放電線Ｌ２を介してグランドに流れる。  抵抗Ｒｒは、電流制限用であって、スイッチ部Ｓｗｒと接続線Ｌｒの間に設けられる。
【００８１】  第３電圧調整部３３０は、さらに、放電線Ｌ３と、抵抗Ｒｂと、スイッチ部Ｓｗｂと、を備える。  抵抗Ｒｂ及びスイッチ部Ｓｗｂは放電線Ｌ３に直列に設けられる。放電線Ｌ３の一端は接続線Ｌｂに接続され、放電線Ｌ３の他端はグランドに接続される。抵抗Ｒｂ及びスイッチ部Ｓｗｂは、平滑用コンデンサ３３８に並列に接続される。  スイッチ部Ｓｗｂは、例えば、ＦＥＴを用いたスイッチング素子からなる。スイッチ部Ｓｗｂは、第１の制御部１００による制御のもと、オン状態及びオフ状態の間で切り替わる。スイッチ部Ｓｗｂがオフ状態からオン状態に切り替えられたとき、平滑用コンデンサ３３８にチャージされた電荷は放電線Ｌ３を介してグランドに流れる。  抵抗Ｒｂは、電流制限用であって、スイッチ部Ｓｗｂと接続線Ｌｂの間に設けられる。
【００８２】  抵抗Ｒｒ，Ｒｇ，Ｒｂは、それぞれ異なる抵抗値を有する。例えば、抵抗Ｒｒ，Ｒｇ，Ｒｂの抵抗値は、以下のような大小関係に設定されている。  抵抗Ｒｇの抵抗値＞抵抗Ｒｂの抵抗値＞抵抗Ｒｒの抵抗値  各抵抗Ｒｒ，Ｒｇ，Ｒｂの抵抗値が小さいほど、スイッチ部Ｓｗｒ，Ｓｗｇ，Ｓｗｂがオン状態にあるときの平滑用コンデンサ３１８，３２８，３３８にチャージされた電荷が抜ける速度が速くなる。電荷が抜ける速度が速くなるにつれて、図２０（ａ）に示すように、電圧Ｖｒ，Ｖｇ，Ｖｂが低下する際の電圧Ｖｒ，Ｖｇ，Ｖｂの低下速度が速くなり、電圧Ｖｒ，Ｖｇ，Ｖｂの傾きの絶対値が大きくなる。  ここで、光源１１ｒは、他の光源１１ｇ，１１ｂに比べて、規定の順電流を流したときの順電圧が低い。このため、光源１１ｒに供給する電流を小さくするためには、他の光源１１ｇ，１１ｂの電圧Ｖｇ，Ｖｂに比べて低い電圧Ｖｒを印加する必要がある。従って、低輝度（例えば、第２閾値Ｔｈ未満の輝度）へ調光する際、光源１１ｒの要求電圧Ｖｒ１は、他の光源１１ｇ，１１ｂの要求電圧Ｖｇ１，Ｖｂ１よりも低くなる。よって、光源１１ｒの抵抗Ｒｒの抵抗値が、光源１１ｇ，１１ｂの抵抗Ｒｇ，Ｒｂの抵抗値よりも小さく設定されることで、光源１１ｒの電圧Ｖｒの低下速度を速くすることができ、電圧Ｖｒ，Ｖｇ，Ｖｂが要求電圧Ｖｒ１，Ｖｇ１，Ｖｂ１に到達するタイミングを近づけることができる。
【００８３】  第１の制御部１００のメモリ１００ａには、図１９に示すように、調光変化量Δ１〜Δｎ及び現在の輝度Ｄ１〜Ｄｎと遅延時間Ｔｇ１〜Ｔｇｎ，Ｔｂ１〜Ｔｂｎが関連づけられた遅延時間データテーブルが記憶されている。「ｎ」は任意の自然数である。  調光変化量Δ１〜Δｎは、現在の輝度と要求輝度との差分であり、各調光変化量Δ１〜Δｎの数値範囲は適宜設定可能である。現在の輝度Ｄ１〜Ｄｎは所定間隔毎に設定される。  遅延時間Ｔｂ１〜Ｔｂｎは、図２０（ｂ）に示すように、光源１１ｒの電圧Ｖｒが低下を開始する時刻ｔａから光源１１ｂの電圧Ｖｂが低下を開始する時刻ｔｂまでの時間であり、光源１１ｒの電圧Ｖｒが要求電圧Ｖｒ１に到達する時刻ｔｄと光源１１ｂの電圧Ｖｂが要求電圧Ｖｂ１に到達する時刻ｔｄとを合わせるために設定される。  同様に、遅延時間Ｔｇ１〜Ｔｇｎは、光源１１ｒの電圧Ｖｒが低下を開始する時刻ｔａから光源１１ｇの電圧Ｖｇが低下を開始する時刻ｔｃまでの時間であり、光源１１ｒの電圧Ｖｒが要求電圧Ｖｒ１に到達する時刻ｔｄと光源１１ｇの電圧Ｖｇが要求電圧Ｖｇ１に到達する時刻ｔｄとを合わせるために設定される。  遅延時間Ｔｇ１〜Ｔｇｎ，Ｔｂ１〜Ｔｂｎは、平滑用コンデンサ３１８，３２８，３３８の性質上、現在の輝度が固定された状態では調光変化量Δ１〜Δｎが多くなるほど長くなり、要求輝度に対して現在の輝度Ｄ１〜Ｄｎが高いほど長くなる。遅延時間Ｔｇ１〜Ｔｇｎ，Ｔｂ１〜Ｔｂ１は、計算、シミュレーション、実験等により予め設定される。
【００８４】  （第１の制御部１００の制御内容）  次に、図１６のフローチャートに沿って、第１の制御部１００による調光処理手順について説明する。本実施形態では、上記第１の実施形態と同様のステップＳ１１５の後に、ステップＳ２０に係る遅延時間設定処理及びステップＳ３０に係る電圧変動処理が続けて行われる。
【００８５】  まず、図１７に沿って遅延時間設定処理の処理手順について説明する。  第１の制御部１００は、調光変化量と現在の輝度を取得する（ステップＳ２０１）。この現在の輝度は、光強度検出部５００の検出結果を通じて取得される。また、この調光変化量は、現在の輝度と要求輝度との差分演算により導出される。そして、第１の制御部１００は、要求輝度が現在の輝度よりも低いか否か、すなわち各光源１１ｒ，１１ｇ，１１ｂの発光輝度が低下するか否かを判断する（ステップＳ２０２）。要求輝度が現在の輝度よりも低い、すなわち、各光源１１ｒ，１１ｇ，１１ｂの発光輝度が低下する旨判断すると（ステップＳ２０２：ＹＥＳ）、上記ステップＳ２０１により取得された調光変化量と現在の輝度に基づき、遅延時間データテーブルを参照して遅延時間Ｔｇ１〜Ｔｇｎ，Ｔｂ１〜Ｔｂｎを読み出す（ステップＳ２０３）。  詳しくは、図１９に示すように、遅延時間データテーブルに記憶された調光変化量Δ１〜Δｎのうち、上記ステップＳ２０１により取得された調光変化量に最も近いものを選択する。ここで、例えば、調光変化量Δ１を選択した場合、次に、調光変化量Δ１に対応する現在の輝度Ｄ１〜Ｄｎのうち、上記ステップＳ２０１により取得された現在の輝度に最も近いものを選択する。ここで、例えば、調光変化量Δ１及び現在の輝度Ｄ１を選択した場合、遅延時間Ｔｇ１〜Ｔｇｎ，Ｔｂ１〜Ｔｂｎのうち調光変化量Δ１及び現在の輝度Ｄ１に対応する遅延時間Ｔｇ１，Ｔｂ１を読み出す。以下では、遅延時間Ｔｇ１，Ｔｂ１が読み出された例について説明する。  第１の制御部１００は、その読み出した遅延時間Ｔｇ１，Ｔｂ１を遅延時間として設定し（ステップＳ２０４）、当該遅延時間設定処理を終了して、ステップＳ３０に係る電圧変動処理に移行する。
【００８６】  一方、第１の制御部１００は、要求輝度が現在の輝度よりも低くない、すなわち、各光源１１ｒ，１１ｇ，１１ｂの発光輝度が増加する旨判断すると（ステップＳ２０２：ＮＯ）、遅延時間を設定せずに（ステップＳ２０５）、当該遅延時間設定処理を終了して、ステップＳ３０に係る電圧変動処理に移行する。
【００８７】  次に、図１８に沿って電圧変動処理の処理手順について説明する。この電圧変動処理の開始時には、スイッチ部Ｓｗｒ，Ｓｗｇ，Ｓｗｂがオフ状態にある。  まず、第１の制御部１００は、遅延時間が設定されているか否かを判断する（ステップＳ３０１）。遅延時間が設定されていない旨判断した場合（ステップＳ３０１：ＮＯ）、光源１１ｒ，１１ｇ，１１ｂの電圧Ｖｒ，Ｖｇ，Ｖｂの変化を同時に開始し（ステップＳ３１３）、後述するステップＳ３１２の処理に移行する。一方、遅延時間が設定されている旨判断した場合（ステップＳ３０１：ＹＥＳ）、タイマ１００ｂを通じて時間の計測を開始する（ステップＳ３０２）。以下では、遅延時間として遅延時間Ｔｇ１，Ｔｂ１が設定されている場合について説明する。
【００８８】  そして、第１の制御部１００は、時間の計測開始とともに、スイッチ部Ｓｗｒをオフ状態からオン状態に切り替え（ステップＳ３０３）、要求輝度に対応する要求電圧Ｖｒ１に向けて光源１１ｒの電圧Ｖｒの変化を開始する（ステップＳ３０４）。これにより、図２０（ｂ）に示すように、時刻ｔａにおいて、光源１１ｒの電圧Ｖｒが要求電圧Ｖｒ１に向けてリニアに低下を開始する。  なお、第１の制御部１００は、ＰＷＭ信号Ｓｐ２のオンデューティ比を小さくすることで、光源１１ｒの電圧Ｖｒを低下させる。
【００８９】  次に、第１の制御部１００は、計測される時間（計測時間）が設定された光源１１ｂの遅延時間Ｔｂ１を経過したか否かを判断する（ステップＳ３０５）。計測時間が遅延時間Ｔｂ１を経過した旨判断したとき（ステップＳ３０５：ＹＥＳ）、スイッチ部Ｓｗｂをオフ状態からオン状態に切り替え（ステップＳ３０６）、要求輝度に対応する要求電圧Ｖｂ１に向けて光源１１ｂの電圧Ｖｂの変化を開始させる（ステップＳ３０７）。これにより、図２０（ｂ）に示すように、時刻ｔｂにおいて、光源１１ｂの電圧Ｖｂが要求電圧Ｖｂ１に向けてリニアに低下を開始する。  なお、第１の制御部１００は、ＰＷＭ信号Ｓｐ３のオンデューティ比を小さくすることで、光源１１ｂの電圧Ｖｂを低下させる。
【００９０】  次に、第１の制御部１００は、計測時間が設定された光源１１ｇの遅延時間Ｔｇ１を経過したか否かを判断する（ステップＳ３０８）。計測時間が遅延時間Ｔｇ１を経過した旨判断したとき（ステップＳ３０８：ＹＥＳ）、スイッチ部Ｓｗｇをオフ状態からオン状態に切り替え（ステップＳ３０９）、要求輝度に対応する要求電圧Ｖｇ１に向けて光源１１ｇの電圧Ｖｇの変化を開始させる（ステップＳ３１０）。これにより、図２０（ｂ）に示すように、時刻ｔｃにおいて、光源１１ｇの電圧Ｖｇが要求電圧Ｖｇ１に向けてリニアに低下を開始する。  なお、第１の制御部１００は、ＰＷＭ信号Ｓｐ１のオンデューティ比を小さくすることで、光源１１ｇの電圧Ｖｇを低下させる。
【００９１】  第１の制御部１００は、計測時間が遅延時間Ｔｂ１を経過していない旨判断したとき（ステップＳ３０５：ＮＯ）、ステップＳ３０６，Ｓ３０７を経ることなく、上記ステップＳ３０８の処理に移行する。また、第１の制御部１００は、計測時間が遅延時間Ｔｇ１を経過していない旨判断したとき（ステップＳ３０８：ＮＯ）、ステップＳ３０９，Ｓ３１０を経ることなく、後述するステップＳ３１１の処理に移行する。
【００９２】  次に、第１の制御部１００は、計測時間が２つの遅延時間Ｔｇ１，Ｔｂ１の両方を経過したか否かを判断し（ステップＳ３１１）、計測時間が遅延時間Ｔｇ１，Ｔｂ１のうち少なくとも何れかを経過していない旨判断したとき（ステップＳ３１１：ＮＯ）、上記ステップＳ３０５の処理に戻る。すなわち、計測時間が２つの遅延時間Ｔｇ１，Ｔｂ１の両方を経過するまで、上記ステップＳ３０５〜３１１の処理が繰り返される。
【００９３】  第１の制御部１００は、計測時間が２つの遅延時間Ｔｇ１，Ｔｂ１の両方を経過した旨判断したとき（ステップＳ３１１：ＹＥＳ）、又は電圧Ｖｒ，Ｖｇ，Ｖｂの変化を同時に開始した後（ステップＳ３１３）、光源１１ｒ，１１ｇ，１１ｂの電圧Ｖｒ，Ｖｇ，Ｖｂが要求電圧Ｖｒ１，Ｖｇ１，Ｖｂ１に到達するのを待つ（ステップＳ３１２：ＮＯ）。第１の制御部１００は、光源１１ｒ，１１ｇ，１１ｂの電圧Ｖｒ，Ｖｇ，Ｖｂが要求電圧Ｖｒ１，Ｖｇ１，Ｖｂ１に到達した旨判断したとき（ステップＳ３１２：ＹＥＳ）、当該電圧変動処理を終了して、調光処理における図１６のステップＳ１１７の処理に移行する。このステップＳ１１７以降の処理は、上記第１の実施形態と同様であるため、その説明を省略する。  なお、第１の制御部１００は、要求輝度が第１閾値Ｔｈ１又は第２閾値Ｔｈ２以上となったときに、スイッチ部Ｓｗｒ，Ｓｗｇ，Ｓｗｂをオン状態からオフ状態に戻す。
【００９４】  次に、平滑用コンデンサ３１８，３２８，３３８を設けた場合には以下のような点が懸念される。  光源１１ｒ，１１ｇ，１１ｂの輝度を低下させる際、平滑用コンデンサ３１８，３２８，３３８にチャージされた電荷が光源１１ｒ，１１ｇ，１１ｂの電圧Ｖｒ，Ｖｇ，Ｖｂの低下を阻害する。このため、平滑用コンデンサ３１８，３２８，３３８の電荷を放電させる必要がある。この電荷の放出に要する時間は、平滑用コンデンサの性質上、現在の輝度及び要求輝度に応じて異なる。このため、光源１１ｒ，１１ｇ，１１ｂ毎に電荷放電時間の長さが異なる場合もあり、この場合には、光源１１ｒ，１１ｇ，１１ｂ毎に電圧Ｖｒ，Ｖｇ，Ｖｂを低下させるのに要する時間が異なる。この場合に、図２０（ａ）に示すように、電圧Ｖｒ，Ｖｇ，Ｖｂが時刻ｔ１において同時に低下を開始すると、電圧Ｖｒ，Ｖｇ，Ｖｂが要求電圧Ｖｒ１，Ｖｇ１，Ｖｂ１に到達する直前において、ホワイトバランスが崩れるおそれがある。例えば、光源１１ｇの電圧Ｖｇが要求電圧Ｖｇ１に到達した時刻ｔ２において、他の光源１１ｒ，１１ｂの電圧Ｖｒ，Ｖｂは要求電圧Ｖｒ１，Ｖｂ１に到達していない。よって、時刻ｔ２においては、緑色光Ｇに対する赤色光Ｒ及び青色光Ｂの光強度が強く、ホワイトバランスが崩れる。特に、低輝度においては、ホワイトバランスの崩れによる合成光Ｃの色調の変化が視認者により視認され易い。  この点、本実施形態では、図２０（ｂ）に示すように、電圧Ｖｒ，Ｖｇ，Ｖｂが同一の時刻ｔｄにおいて要求電圧Ｖｒ１，Ｖｇ１，Ｖｂ１に到達するように遅延時間Ｔｇ１〜Ｔｇｎ，Ｔｂ１〜Ｔｂｎが設定されている。よって、本実施形態では、電圧Ｖｒ，Ｖｇ，Ｖｂが要求電圧Ｖｒ１，Ｖｇ１，Ｖｂ１に到達する直前においてホワイトバランスが崩れることが抑制される。また、時刻ｔｃにおいては、光源１１ｒ，１１ｂの電圧Ｖｒ，Ｖｂの低下が開始しているものの、光源１１ｇの電圧Ｖｇの低下が開始していない。このため、この時刻ｔｃにおいてホワイトバランスが崩れるものの、時刻ｔｃの輝度は時刻ｔｄにおける輝度に比べて高い輝度であるため、ホワイトバランスの崩れによる合成光Ｃの色調の変化は視認者により視認されづらい。
【００９５】  （効果）  以上、説明した第３の実施形態によれば、以下の効果を奏する。
【００９６】  （１）光源駆動装置５は、第１電圧調整部３１０により調整された電圧Ｖｇ（第１電圧）を平滑化する平滑用コンデンサ３１８（第１平滑用コンデンサ）と、第２電圧調整部３２０により調整された電圧Ｖｒ（第２電圧）を平滑化する平滑用コンデンサ３２８（第２平滑用コンデンサ）と、第３電圧調整部３３０により調整された電圧Ｖｂ（第３電圧）を平滑化する平滑用コンデンサ３３８（第３平滑用コンデンサ）と、平滑用コンデンサ３１８からグランドへの放電線Ｌ１（第１放電流路）を導通するオン状態と放電線Ｌ１を遮断するオフ状態との間で切り替わるスイッチ部Ｓｗｇ（第１スイッチ部）と、平滑用コンデンサ３２８からグランドへの放電線Ｌ２（第２放電流路）を導通するオン状態と放電線Ｌ２を遮断するオフ状態との間で切り替わるスイッチ部Ｓｗｒ（第２スイッチ部）と、平滑用コンデンサ３３８からグランドへの放電線Ｌ３（第３放電流路）を導通するオン状態と放電線Ｌ３を遮断するオフ状態との間で切り替わるスイッチ部Ｓｗｂ（第３スイッチ部）と、を備える。第１の制御部１００は、電圧Ｖｒ，Ｖｇ，Ｖｂをそれぞれ要求輝度に応じた要求電圧Ｖｒ１，Ｖｇ１，Ｖｂ１に低下させる際、スイッチ部Ｓｗｒ，Ｓｗｇ，Ｓｗｂをオフ状態からオン状態に切り替える。  この構成によれば、平滑用コンデンサ３１８，３２８，３３８にチャージされた電荷を放出することができ、迅速に電圧Ｖｒ，Ｖｇ，Ｖｂを低下させること、ひいては迅速に調光を完了することができる。
【００９７】  （２）第１の制御部１００は、電圧Ｖｒ，Ｖｇ，Ｖｂをそれぞれ要求輝度に応じた要求電圧Ｖｒ１，Ｖｇ１，Ｖｂ１に低下させる際、電圧Ｖｒ，Ｖｇ，Ｖｂが要求電圧Ｖｒ１，Ｖｇ１，Ｖｂ１に到達するタイミングを近づける又は一致させるように、スイッチ部Ｓｗｒ，Ｓｗｇ，Ｓｗｂそれぞれを異なるタイミング（時刻ｔａ，ｔｂ，ｔｃ）でオフ状態からオン状態に切り替える。詳しくは、第１の制御部１００は、光源１１ｒに対応するスイッチ部Ｓｗｒを、他の光源１１ｇ，１１ｂに対応するスイッチ部Ｓｗｇ，Ｓｗｂよりも速いタイミング（時刻ｔａ）でオフ状態からオン状態に切り替える。  この構成によれば、電圧Ｖｒ，Ｖｇ，Ｖｂが要求電圧Ｖｒ１，Ｖｇ１，Ｖｂ１に到達する直前におけるホワイトバランスが崩れることが抑制される。よって、輝度を低下させる際の合成光Ｃの色調の変化が抑制され、合成光Ｃの安定性を確保することができ、視認性を高めることができる。
【００９８】  （３）光源駆動装置５は、放電線Ｌ１に設けられる抵抗Ｒｇ（第１抵抗）と、放電線Ｌ２に設けられる抵抗Ｒｒ（第２抵抗）と、放電線Ｌ３に設けられる抵抗Ｒｂ（第３抵抗）と、を備える。抵抗Ｒｒ，Ｒｇ，Ｒｂの抵抗値は、電圧Ｖｒ，Ｖｇ，Ｖｂを要求電圧Ｖｒ１，Ｖｇ１，Ｖｂ１に低下させる際、電圧Ｖｒ，Ｖｇ，Ｖｂが要求電圧Ｖｒ１，Ｖｇ１，Ｖｂ１に到達するタイミングを近づける又は一致させるように、互いに異なる値に設定される。詳しくは、光源１１ｒの抵抗Ｒｒの抵抗値は、光源１１ｇ，１１ｂの抵抗Ｒｇ，Ｒｂの抵抗値よりも小さく設定される。  この構成によれば、抵抗Ｒｒ，Ｒｇ，Ｒｂの抵抗値により、電圧Ｖｒ，Ｖｇ，Ｖｂの低下速度、すなわち電圧Ｖｒ，Ｖｇ，Ｖｂの傾きを設定することができる。このため、電圧Ｖｒ，Ｖｇ，Ｖｂが要求電圧Ｖｒ１，Ｖｇ１，Ｖｂ１に到達するタイミングを近づける又は一致させることができる。よって、電圧Ｖｒ，Ｖｇ，Ｖｂが要求電圧Ｖｒ１，Ｖｇ１，Ｖｂ１に到達する直前においてホワイトバランスが崩れることが抑制される。よって、輝度を低下させる際の合成光Ｃの色調の変化が抑制され、合成光Ｃの安定性を確保することができ、視認性を高めることができる。
【００９９】（変形例）  なお、上記各実施形態は、これを適宜変更した以下の形態にて実施することができる。
【０１００】  上記第３の実施形態においては、遅延時間が設定されることと抵抗Ｒｒ，Ｒｇ，Ｒｂの抵抗値が異なる値に設定されることにより、同時に電圧Ｖｒ，Ｖｇ，Ｖｂを要求電圧Ｖｒ１，Ｖｇ１，Ｖｂ１に到達させていた。しかし、これに限らず、遅延時間が設定されることなく、抵抗Ｒｒ，Ｒｇ，Ｒｂの抵抗値を異なる値に設定し、かつ、スイッチ部Ｓｗｒ，Ｓｗｇ，Ｓｗｂが同時にオン状態に切り替えられることにより、図２１に示すように、時刻ｔｅにおいて同時に電圧Ｖｒ，Ｖｇ，Ｖｂを要求電圧Ｖｒ１，Ｖｇ１，Ｖｂ１に到達させてもよい。この場合、上記第３の実施形態に比べて、抵抗Ｒｒ，Ｒｇ，Ｒｂの各抵抗値の差分を大きく設定することが望ましい。この構成では、スイッチ部Ｓｗｒ，Ｓｗｇ，Ｓｗｂを同時に制御すればよいため、第１の制御部１００による制御負担を低減することができる。
【０１０１】  上記第３の実施形態においては、抵抗Ｒｒ，Ｒｇ，Ｒｂの抵抗値はそれぞれ同一値に設定されてもよい。
【０１０２】  上記第３の実施形態においては、電圧Ｖｒ，Ｖｇ，Ｖｂはそれぞれ異なるタイミング（時刻ｔａ，ｔｂ，ｔｃ）で電圧低下が開始されていたが、例えば、電圧Ｖｇ，Ｖｂが同一の速度で低下する場合には、電圧Ｖｇ，Ｖｂの低下は互いに同じタイミングで開始されてもよい。この場合、電圧Ｖｒと電圧Ｖｇ，Ｖｂとが異なるタイミングで電圧低下が開始される。
【０１０３】  上記第３の実施形態においては、抵抗Ｒｒ，Ｒｇ，Ｒｂの抵抗値は固定値であったが、抵抗値を変更できる可変抵抗を用いることで、抵抗Ｒｒ，Ｒｇ，Ｒｂの抵抗値を変更させてもよい。例えば、第１の制御部１００は、抵抗Ｒｒ，Ｒｇ，Ｒｂの抵抗値を変更させることで、低下する電圧Ｖｒ，Ｖｇ，Ｖｂの傾きを変化させることができる。これにより、図２１に示すように、電圧Ｖｒ，Ｖｇ，Ｖｂを時刻ｔｅにおいて同時に電圧Ｖｒ，Ｖｇ，Ｖｂを要求電圧Ｖｒ１，Ｖｇ１，Ｖｂ１に到達させるように、電圧Ｖｒ，Ｖｇ，Ｖｂの傾きが調整される。  また、一例として、第１の制御部１００は、電圧Ｖｒ，Ｖｇ，Ｖｂが要求電圧Ｖｒ１，Ｖｇ１，Ｖｂ１に到達するタイミングのバラツキを計測し、その計測されたバラツキを補正するように、抵抗Ｒｒ，Ｒｇ，Ｒｂの抵抗値を変更させてもよい。また、第１の制御部１００は、電圧Ｖｒ，Ｖｇ，Ｖｂの低下中に電圧Ｖｒ，Ｖｇ，Ｖｂの傾きを変化させてもよい。
【０１０４】  上記第３の実施形態においては、第１の制御部１００は、遅延時間データテーブルに記憶される遅延時間Ｔｇ１〜Ｔｇｎ，Ｔｂ１〜Ｔｂｎを自動で補正する機能を有していてもよい。例えば、第１の制御部１００は、電圧Ｖｒ，Ｖｇ，Ｖｂが要求電圧Ｖｒ１，Ｖｇ１，Ｖｂ１に到達するタイミングのバラツキを計測し、その計測されたバラツキを補正するように、遅延時間Ｔｇ１〜Ｔｇｎ，Ｔｂ１〜Ｔｂｎの長さを補正してもよい。
【０１０５】  上記第３の実施形態においては、遅延時間データテーブルには、調光変化量Δ１〜Δｎ及び現在の輝度Ｄ１〜Ｄｎと遅延時間Ｔｇ１〜Ｔｇｎ，Ｔｂ１〜Ｔｂｎが関連づけられていたが、要求輝度及び現在の輝度Ｄ１〜Ｄｎと遅延時間Ｔｇ１〜Ｔｇｎ，Ｔｂ１〜Ｔｂｎが関連づけられていてもよい。
【０１０６】  上記各実施形態においては、要求輝度は、外光強度信号ＳＬに応じて決まっていたが、これに限らず、例えば、車両２のヘッドライトを点灯又は消灯させるための操作信号、表示画像の種類等に応じて決まってもよい。
【０１０７】  上記各実施形態においては、ステップＳ１０９，Ｓ１１７に係る処理は、非表示期間Ｆｂにおいて行われていたが、表示期間Ｆａにおける表示素子３０がオフの期間に行われてもよい。
【０１０８】  上記各実施形態においては、第２及び第３電圧調整部３２０，３３０は、第１電圧調整部３１０の電源ＩＣ３１６からの電圧Ｖｇに基づき電圧Ｖｒ，Ｖｂを生成していたが、第２及び第３電圧調整部３２０，３３０は、それぞれ個別に電源ＩＣを備えていてもよい。
【０１０９】  上記各実施形態において、光源１１ｒ，１１ｇ，１１ｂ毎に第１〜第３電圧調整部３１０〜３３０が設けられていたが、これに限らず、光源１１ｒ，１１ｇ，１１ｂのうち何れか２つに共有の電圧調整部を設けてもよい。例えば、光源１１ｇ，１１ｂに１つの電圧調整部を設けて、この電圧調整部は、光源１１ｇ，１１ｂに同一の電圧を印加してもよい。
【０１１０】  上記各実施形態において、電圧Ｖｇを基準として、所望の光強度比を実現するように、電圧Ｖｒ，Ｖｂが設定されていたが、基準となる電圧は、電圧Ｖｒ，Ｖｂの何れかであってもよい。
【０１１１】  また、光源１１ｒ，１１ｇ，１１ｂの各サブフレームＦｓにおけるオン時間Ｔｏｎを定める制限信号ＳＣを、光源１１ｒ，１１ｇ，１１ｂの発光タイミングを制御するイネーブル信号ＥＮ（Ｒ−ＥＮ，Ｇ−ＥＮ，Ｂ−ＥＮ）で代替えしてもよい。
【０１１２】  上記各実施形態において、ＨＵＤ装置１は、図１２（ｂ）、図１２（ｃ）に示すように、表示期間割合を段階的に変化させつつ、該表示期間割合が一定の間に電流を連続的に変化させる要求輝度の領域と、図１２（ｄ）、図１２（ｃ）に示すように、制限データのオンデューティ比を段階的に変化させつつ、該制限データのオンデューティ比が一定の間に電流を連続的に変化させる要求輝度の領域と、を別々に設けていたが、表示期間割合、制限データのオンデューティ比、電流それぞれを変化させる要求輝度の領域を有していてもよい。具体的に例えば、ＨＵＤ装置１は、表示期間割合を段階的に変化させつつ、該表示期間割合が一定の間に制限データのオンデューティ比を段階的に変化させつつ、該制限データのオンデューティ比が一定の間に電流を連続的に変化させてもよい。
【０１１３】  上記各実施形態においては、第１の制御部１００は、要求輝度が第１閾値Ｔｈ１未満の場合においては、要求輝度が低くなるにつれてリニアに電圧Ｖｇを低下させていたが、要求輝度が低くなるにつれて階段状に電圧Ｖｇを低下させてもよい。
【０１１４】  上記各実施形態においては、第１の制御部１００は、要求輝度が第１閾値Ｔｈ１未満の場合、電流Ｉｇを一定に保持していたが、要求輝度に応じて電流Ｉｇも変化させてもよい。  また、上記各実施形態においては、第１の制御部１００は、要求輝度が第１閾値Ｔｈ１以上の場合においては、第１電圧調整部３１０を通じて電圧Ｖｇを一定電圧Ｖｎに保持していたが、要求輝度に応じて電圧Ｖｇを変化させてもよい。
【０１１５】  上記各実施形態においては、第１の制御部１００は、低輝度モードのときにのみ、上記ステップＳ１０４〜Ｓ１１０に係る電圧調整調光処理を行っていた。しかし、第１の制御部１００は、要求輝度に関わらず、この電圧調整調光処理を行ってもよい。
【０１１６】  上記各実施形態において、第１の制御部１００の制御内容の一部を、第２の制御部２００が実行してもよいし、反対に、第２の制御部２００の制御内容の一部を、第１の制御部１００が実行してもよい。また、第１及び第２の制御部１００，２００は一つの制御部として構成されてもよい。
【０１１７】  上記各実施形態において、光源１１ｒ，１１ｇ，１１ｂは、それぞれ独立した光源として構成されているが、共通の光源から複数の色の光を出射するものであってもよい。また、光源は、複数色の光を出射するものであればよく、２色のみで構成されてもよく、また、４色（白色も含む）以上で構成されていてもよい。  また、１つの光源から複数色の光を出射する場合、各光源１１ｒ、１１ｇ、１１ｂの光軸を合わす光合成部１３を省略してもよい。
【０１１８】  上記実施形態においては、光強度検出部５００は、合成光Ｃの一部の光路に設置されていたが、光Ｒ、Ｇ、Ｂそれぞれの光強度を検出することができればよく、例えば、合波される前の光Ｒ、Ｇ、Ｂそれぞれの光強度を検出できる箇所に設けられていてもよい。また、光強度検出部５００は、照明光学系２０から出射された合成光Ｃの一部の光強度を検出できる箇所に適宜設けられていてもよい。 
【０１１９】  上記実施形態におけるＨＵＤ装置１は車載用であったが、車載用に限らず、飛行機、船等の乗り物に搭載されるＨＵＤ装置１であってもよい。また、ＨＵＤ装置１からの表示光Ｌは投射部材としてのウインドシールド３に投射されていたが、専用のコンバイナに投射されてもよい。また、光源駆動装置５をＨＵＤ装置１以外の各種表示装置、例えばプロジェクタ等に適用してもよい。
【０１２０】  上記各実施形態においては、所望の光強度比は、要求輝度に応じて予め設定されていたが、これに限らず、例えば予め計算式をメモリ１００ａに記憶させ、第１の制御部１００は、この計算式を利用して、要求輝度に基づき所望の光強度比を算出してもよい。
【０１２１】  上記各実施形態においては、光源駆動装置５は、フィールドシーケンシャル方式により光源１１ｒ，１１ｇ，１１ｂを駆動させていたが、これに限らず、例えば、並置加法混色、同時加法混色又は継続加法混色等のその他の方式により光源１１ｒ，１１ｇ，１１ｂを駆動させてもよい。
【符号の説明】
【０１２２】１  ＨＵＤ装置２  車両３  ウインドシールド５  光源駆動装置６  車両ＥＣＵ７  外光強度センサ１０  照明装置１１  光源ユニット１１ｂ，１１ｇ，１１ｒ  光源１２  回路基板１３  光合成部１３ａ  反射ミラー１３ｂ，１３ｃ  ダイクロイックミラー１４  輝度ムラ低減部１５  透過膜２０  照明光学系３０  表示素子３０ａ  マイクロミラー４０  投射光学系５０  スクリーン６１  平面鏡６２  凹面鏡７０  筐体７０ａ  開口部７１  透光部１００  第１の制御部１００ａ  メモリ１００ｂ  タイマ１００ｃ  処理部２００  第２の制御部３００  電源制御ユニット３１０  第１電圧調整部３１８，３２８，３３８  平滑用コンデンサ３１６  電源ＩＣ３２０  第２電圧調整部３３０  第３電圧調整部４００  光源駆動部４１０  比較回路４２０  論理回路４３０  光源駆動回路５００  光強度検出部７００  バッテリ
【図１】
2018101121.tif 000003
【図２】
2018101121.tif 000004
【図３】
2018101121.tif 000005
【図４】
2018101121.tif 000006
【図５】
2018101121.tif 000007
【図６】
2018101121.tif 000008
【図７】
2018101121.tif 000009
【図８】
2018101121.tif 000010
【図９】
2018101121.tif 000011
【図１０】
2018101121.tif 000012
【図１１】
2018101121.tif 000013
【図１２】
2018101121.tif 000014
【図１３】
2018101121.tif 000015
【図１４】
2018101121.tif 000016
【図１５】
2018101121.tif 000017
【図１６】
2018101121.tif 000018
【図１７】
2018101121.tif 000019
【図１８】
2018101121.tif 000020
【図１９】
2018101121.tif 000021
【図２０】
2018101121.tif 000022
【図２１】
2018101121.tif 000023
【国際調査報告】
2018101121.tif 000024
2018101121.tif 000025
2018101121.tif 000026
2018101121.tif 000027